(57)【要約】  ワイヤレス通信方法、端末、および基地局が提供される。方法は、複数のベスト・コンパニオン・プリコーディング行列インデックス（ＢＣＩ）および対応するデルタ・チャネル品質インジケータ（ΔＣＱＩ）を端末から基地局に送信するステップを含み、複数のＢＣＩを送信するためのフレームの周期は、単一のＢＣＩを送信するためのフレームの周期よりも大きい。本開示による方法、端末、および基地局は、チャネルのフィードバック・オーバヘッドを増加させることなく、基地局側におけるスケジューリング柔軟性を大きく向上させ、ＭＵ−ＭＩＭＯ性能を改善することができる。
2013541270.tif 000002
【特許請求の範囲】
【請求項１】
基地局と、前記基地局と通信する端末とを含む、ＭＵ−ＭＩＭＯシステムのためのワイヤレス通信方法であって、
複数のベスト・コンパニオン・プリコーディング行列インデックス（ＢＣＩ）および対応するデルタ・チャネル品質インジケータ（ΔＣＱＩ）を前記端末から前記基地局に送信するステップを含み、
前記複数のＢＣＩを送信するためのフレームの周期が、単一のＢＣＩを送信するためのフレームの周期よりも大きい、
ワイヤレス通信方法。
【請求項２】
前記複数のＢＣＩを送信するためのフレームの前記周期が、前記単一のＢＣＩを送信するためのフレームの前記周期Ｔの倍数である、請求項１に記載のワイヤレス通信方法。
【請求項３】
前記複数のＢＣＩのうちの第１のＢＣＩを送信するためのフレームの周期と、前記複数のＢＣＩのうちの第２のＢＣＩを送信するためのフレームの周期が、ともに２Ｔである、請求項２に記載のワイヤレス通信方法。
【請求項４】
前記第１のＢＣＩを送信するための前記フレームと前記第２のＢＣＩを送信するための前記フレームの間の周期が、Ｔである、請求項３に記載のワイヤレス通信方法。
【請求項５】
前記第１のＢＣＩを送信するための前記フレームと前記第２のＢＣＩを送信するための前記フレームの間の周期が、ゼロである、請求項３に記載のワイヤレス通信方法。
【請求項６】
第１のΔＣＱＩが、前記第１のＢＣＩを送信するための前記フレーム内に収めて送信され、第２のΔＣＱＩが、前記第２のＢＣＩを送信するための前記フレーム内に収めて送信される、請求項４または５に記載のワイヤレス通信方法。
【請求項７】
第１のΔＣＱＩが、前記第１のＢＣＩを送信するための前記フレーム内に収めて送信され、第２のΔＣＱＩが、前記第２のＢＣＩを送信するための前記フレーム内に収めて送信され、前記第１のΔＣＱＩと前記第２のΔＣＱＩを送信するためのさらなるフレームが、前記第１のＢＣＩを送信するための前記フレームの間に追加される、請求項５に記載のワイヤレス通信方法。
【請求項８】
前記第１のＢＣＩを送信するための前記フレームまたは前記第２のＢＣＩを送信するための前記フレームが、前記第１のΔＣＱＩと前記第２のΔＣＱＩのうちより低い値を有するΔＣＱＩだけを送信するために使用され、より低い値を有する前記ΔＣＱＩを送信するためのさらなるフレームが、前記第１のＢＣＩを送信するための前記フレームの間に追加される、請求項５に記載のワイヤレス通信方法。
【請求項９】
特定のＢＣＩインジケータが、古いＢＣＩを示すために、より低い値を有する前記ΔＣＱＩを送信するための前記追加フレームに割り当てられる、請求項８に記載のワイヤレス通信方法。
【請求項１０】
前記特定のＢＣＩインジケータが、より低い値を有するΔＣＱＩの値を表すビットのうちの最上位ビットの位置に書き込まれる、請求項９に記載のワイヤレス通信方法。
【請求項１１】
基地局と、前記基地局と通信する端末とを含む、ＭＵ−ＭＩＭＯシステムのためのワイヤレス通信方法であって、
一定の値になるようにベスト・コンパニオン・プリコーディング行列インデックス（ＢＣＩ）を設定するステップと、
前記ＢＣＩに対応するデルタ・チャネル品質インジケータ（ΔＣＱＩ）だけを所定のサイクルで前記端末から前記基地局に送信するステップと
を含むワイヤレス通信方法。
【請求項１２】
前記ＢＣＩおよび前記ΔＣＱＩの数が、ともに複数であり、前記複数のΔＣＱＩを送信するためのフレームの周期が、単一のΔＣＱＩを送信するためのフレームの周期よりも大きい、請求項１１に記載のワイヤレス通信方法。
【請求項１３】
基地局と、前記基地局と通信する端末とを含む、ＭＵ−ＭＩＭＯシステムのためのワイヤレス通信方法であって、
デルタ・チャネル品質インジケータ（ΔＣＱＩ）を所定のサイクルで前記端末から前記基地局に送信するステップと、
前記ΔＣＱＩについての閾値を設定するステップと、
前記ΔＣＱＩの値が前記閾値以下であることに応答して、前記ΔＣＱＩに対応するベスト・コンパニオン・プリコーディング行列インデックス（ＢＣＩ）を前記端末から前記基地局に送信するステップと
を含むワイヤレス通信方法。
【請求項１４】
前記ＢＣＩおよび前記ΔＣＱＩの数が、ともに複数である、請求項１３に記載のワイヤレス通信方法。
【請求項１５】
ＭＵ−ＭＩＭＯシステムにおいて基地局と通信するためのワイヤレス通信端末であって、
複数のベスト・コンパニオン・プリコーディング行列インデックス（ＢＣＩ）および対応するデルタ・チャネル品質インジケータ（ΔＣＱＩ）を前記基地局に送信するためのフレームを生成するためのフレーム生成ユニットを備え、
前記複数のＢＣＩを送信するためのフレームの周期が、単一のＢＣＩを送信するためのフレームの周期よりも大きい、
ワイヤレス通信端末。
【請求項１６】
前記複数のＢＣＩを送信するためのフレームの前記周期が、前記単一のＢＣＩを送信するためのフレームの前記周期Ｔの倍数である、請求項１５に記載のワイヤレス通信端末。
【請求項１７】
前記複数のＢＣＩのうちの第１のＢＣＩを送信するためのフレームの周期と、前記複数のＢＣＩのうちの第２のＢＣＩを送信するためのフレームの周期が、ともに２Ｔである、請求項１６に記載のワイヤレス通信端末。
【請求項１８】
前記第１のＢＣＩを送信するための前記フレームと前記第２のＢＣＩを送信するための前記フレームの間の周期が、Ｔである、請求項１７に記載のワイヤレス通信端末。
【請求項１９】
前記第１のＢＣＩを送信するための前記フレームと前記第２のＢＣＩを送信するための前記フレームの間の周期が、ゼロである、請求項１７に記載のワイヤレス通信端末
【請求項２０】
第１のΔＣＱＩが、前記第１のＢＣＩを送信するための前記フレーム内に収めて送信され、第２のΔＣＱＩが、前記第２のＢＣＩを送信するための前記フレーム内に収めて送信される、請求項１８または１９に記載のワイヤレス通信端末。
【請求項２１】
第１のΔＣＱＩが、前記第１のＢＣＩを送信するための前記フレーム内に収めて送信され、第２のΔＣＱＩが、前記第２のＢＣＩを送信するための前記フレーム内に収めて送信され、前記第１のΔＣＱＩと前記第２のΔＣＱＩを送信するためのさらなるフレームが、前記第１のＢＣＩを送信するための前記フレームの間に追加される、請求項１９に記載のワイヤレス通信端末。
【請求項２２】
前記第１のＢＣＩを送信するための前記フレームまたは前記第２のＢＣＩを送信するための前記フレームが、前記第１のΔＣＱＩと前記第２のΔＣＱＩのうちより低い値を有するΔＣＱＩだけを送信するために使用され、より低い値を有する前記ΔＣＱＩを送信するためのさらなるフレームが、前記第１のＢＣＩを送信するための前記フレームの間に追加される、請求項１９に記載のワイヤレス通信端末。
【請求項２３】
特定のＢＣＩインジケータが、古いＢＣＩを示すために、より低い値を有する前記ΔＣＱＩを送信するための前記追加フレームに割り当てられる、請求項２２に記載のワイヤレス通信端末。
【請求項２４】
前記特定のＢＣＩインジケータが、より低い値を有するΔＣＱＩの値を表すビットのうちの最上位ビットの位置に書き込まれる、請求項２３に記載のワイヤレス通信端末。
【請求項２５】
ＭＵ−ＭＩＭＯシステムにおいて基地局と通信するためのワイヤレス通信端末であって、
一定の値になるようにベスト・コンパニオン・プリコーディング行列インデックス（ＢＣＩ）を設定するための設定ユニットと、
デルタ・チャネル品質インジケータ（ΔＣＱＩ）を前記基地局に送信するためのフレームを生成するためのフレーム生成ユニットと、
前記ΔＣＱＩだけを含むフレームを所定のサイクルで前記基地局に送信するための送信ユニットと
を備えるワイヤレス通信端末。
【請求項２６】
各フレームが、複数のΔＣＱＩを含み、複数のΔＣＱＩを含むフレームを送信するための周期が、単一のΔＣＱＩを含むフレームを送信するための周期よりも大きい、請求項２５に記載のワイヤレス通信端末。
【請求項２７】
ＭＵ−ＭＩＭＯシステムにおいて基地局と通信するためのワイヤレス通信端末であって、
ベスト・コンパニオン・プリコーディング行列インデックス（ＢＣＩ）および／または対応するデルタ・チャネル品質インジケータ（ΔＣＱＩ）を前記基地局に送信するためのフレームを生成するためのフレーム生成ユニットと、
前記ΔＣＱＩについての閾値を設定するための設定ユニットと、
前記フレームを所定のサイクルで送信するための送信ユニットであって、前記ΔＣＱＩの値が前記閾値以下である場合は、前記フレームが前記ＢＣＩと前記ΔＣＱＩの両方を含むが、前記ΔＣＱＩの値が前記閾値よりも大きい場合は、前記フレームが前記ΔＣＱＩだけを含む、送信ユニットと
を備えるワイヤレス通信端末。
【請求項２８】
前記ＢＣＩおよび前記ΔＣＱＩの数が、ともに複数である、請求項２７に記載のワイヤレス通信端末。
【請求項２９】
ＭＵ−ＭＩＭＯシステムにおいてワイヤレス通信端末と通信するための基地局であって、
複数のベスト・コンパニオン・プリコーディング行列インデックス（ＢＣＩ）および対応するデルタ・チャネル品質インジケータ（ΔＣＱＩ）を前記ワイヤレス通信端末から受信するための受信ユニットを備え、
前記複数のＢＣＩを搬送するためのフレームの周期が、単一のＢＣＩを搬送するためのフレームの周期よりも大きい、
基地局。
【請求項３０】
前記複数のＢＣＩを搬送するためのフレームの前記周期が、前記単一のＢＣＩを搬送するためのフレームの前記周期Ｔの倍数である、請求項２９に記載の基地局。
【請求項３１】
前記複数のＢＣＩのうちの第１のＢＣＩを搬送するためのフレームの周期と、前記複数のＢＣＩのうちの第２のＢＣＩを搬送するためのフレームの周期が、ともに２Ｔである、請求項３０に記載の基地局。
【請求項３２】
前記第１のＢＣＩを搬送するための前記フレームと前記第２のＢＣＩを搬送するための前記フレームの間の周期が、Ｔである、請求項３１に記載の基地局。
【請求項３３】
前記第１のＢＣＩを搬送するための前記フレームと前記第２のＢＣＩを搬送するための前記フレームの間の周期が、ゼロである、請求項３１に記載の基地局。
【請求項３４】
第１のΔＣＱＩが、前記第１のＢＣＩを搬送するための前記フレーム内に収めて搬送され、第２のΔＣＱＩが、前記第２のＢＣＩを搬送するための前記フレーム内に収めて搬送される、請求項３２または３３に記載の基地局。
【請求項３５】
第１のΔＣＱＩが、前記第１のＢＣＩを搬送するための前記フレーム内に収めて搬送され、第２のΔＣＱＩが、前記第２のＢＣＩを搬送するための前記フレーム内に収めて搬送され、前記第１のΔＣＱＩと前記第２のΔＣＱＩを搬送するためのさらなるフレームが、前記第１のＢＣＩを搬送するための前記フレームの間に追加される、請求項３３に記載の基地局。
【請求項３６】
前記第１のＢＣＩを搬送するための前記フレームまたは前記第２のＢＣＩを搬送するための前記フレームが、前記第１のΔＣＱＩと前記第２のΔＣＱＩのうちより低い値を有するΔＣＱＩだけを搬送するために使用され、より低い値を有する前記ΔＣＱＩを搬送するためのさらなるフレームが、前記第１のＢＣＩを搬送するための前記フレームの間に追加される、請求項３３に記載の基地局。
【請求項３７】
特定のＢＣＩインジケータが、古いＢＣＩを示すために、より低い値を有する前記ΔＣＱＩを搬送するための前記追加フレームに割り当てられる、請求項３６に記載の基地局。
【請求項３８】
前記特定のＢＣＩインジケータが、より低い値を有するΔＣＱＩの値を表すビットのうちの最上位ビットの位置に書き込まれる、請求項３７に記載の基地局。
【請求項３９】
ＭＵ−ＭＩＭＯシステムにおいてワイヤレス通信端末と通信するための基地局であって、
一定の値になるようにベスト・コンパニオン・プリコーディング行列インデックス（ＢＣＩ）を設定するための設定ユニットと、
デルタ・チャネル品質インジケータ（ΔＣＱＩ）だけを含むフレームを前記ワイヤレス通信端末から受信するための受信ユニットと
を備える基地局。
【請求項４０】
各フレームが、複数のΔＣＱＩを含み、複数のΔＣＱＩを搬送するためのフレームの周期が、単一のΔＣＱＩを搬送するためのフレームの周期よりも大きい、請求項３９に記載の基地局。
【請求項４１】
ＭＵ−ＭＩＭＯシステムにおいてワイヤレス通信端末と通信するための基地局であって、
ベスト・コンパニオン・プリコーディング行列インデックス（ＢＣＩ）および／または対応するデルタ・チャネル品質インジケータ（ΔＣＱＩ）を含むフレームを前記ワイヤレス通信端末から受信するための受信ユニットを備え、
前記ΔＣＱＩの値が設定された閾値以下である場合は、前記受信フレームが前記ＢＣＩと前記ΔＣＱＩの両方を含むが、前記ΔＣＱＩの値が前記閾値よりも大きい場合は、前記受信フレームが前記ΔＣＱＩだけを含む、
基地局。
【請求項４２】
前記ＢＣＩおよび前記ΔＣＱＩの数が、ともに複数である、請求項４１に記載の基地局。
【請求項４３】
マルチユーザ多入力多出力システムにおいて基地局と通信するためのワイヤレス通信方法であって、
ＰＭＩと、複数のＢＣＩと、ΔＣＱＩとを前記基地局に送信するステップであって、前記ΔＣＱＩが、電力割り当てを前記基地局における実際のダウンリンク送信電力割り当てに近いものにすることによって計算される、ステップを含み、
前記ＰＭＩが、モバイル端末に対して使用するのに好ましいプリコーディング行列を表し、前記ＢＣＩが、前記モバイル端末とペアにされる可能性がある他のモバイル端末に対して使用するのに好ましいベスト・コンパニオン・プリコーディング行列を表し、ΔＣＱＩが、前記複数のＢＣＩの使用が原因のチャネル品質悪化を表す、
ワイヤレス通信方法。
【請求項４４】
前記ΔＣＱＩが、前記ＰＭＩと前記複数のＢＣＩの合計との間に電力を均等に割り当てることによって計算される、請求項４３に記載のワイヤレス通信方法。
【請求項４５】
前記複数のＢＣＩに割り当てられる電力が、前記複数のＢＣＩの間に均等または不均等に割り当てられる、請求項４４に記載のワイヤレス通信方法。
【請求項４６】
マルチユーザ多入力多出力システムにおいて基地局と通信するためのモバイル端末であって、
ＰＭＩと、複数のＢＣＩと、ΔＣＱＩとを前記基地局に送信するためのフレームを生成するフレーム生成ユニットと、
電力割り当てを前記基地局における実際のダウンリンク送信電力割り当てに近いものにすることによってΔＣＱＩを計算する計算ユニットとを備え、
前記ＰＭＩが、前記モバイル端末に対して使用するのに好ましいプリコーディング行列を表し、前記ＢＣＩが、前記モバイル端末とペアにされる可能性がある他のモバイル端末に対して使用するのに好ましいベスト・コンパニオン・プリコーディング行列を表し、ΔＣＱＩが、前記複数のＢＣＩの使用が原因のチャネル品質悪化を表す、
モバイル端末。
【請求項４７】
前記ΔＣＱＩが、前記ＰＭＩと前記複数のＢＣＩの合計との間に電力を均等に割り当てることによって計算される、請求項４６に記載のモバイル端末。
【請求項４８】
前記複数のＢＣＩに割り当てられる電力が、前記複数のＢＣＩの間に均等または不均等に割り当てられる、請求項４７に記載のモバイル端末。
【請求項４９】
マルチユーザ多入力多出力システムにおいて複数のモバイル端末と通信するための基地局であって、
ＰＭＩと、複数のＢＣＩと、ΔＣＱＩとを含むフレームをモバイル端末から受信する受信ユニットであって、前記ΔＣＱＩが、電力割り当てを前記基地局における実際のダウンリンク送信電力割り当てに近いものにすることによって計算される、受信ユニットと、
前記ＰＭＩと、前記複数のＢＣＩと、前記ΔＣＱＩとを考慮して、前記複数のモバイル端末に関するプリコーディング操作を実行する処理ユニットとを備え、
前記ＰＭＩが、前記モバイル端末に対して使用するのに好ましいプリコーディング行列を表し、前記ＢＣＩが、前記モバイル端末とペアにされる可能性がある他のモバイル端末に対して使用するのに好ましいベスト・コンパニオン・プリコーディング行列を表し、ΔＣＱＩが、前記複数のＢＣＩの使用が原因のチャネル品質悪化を表す、
基地局。
【請求項５０】
前記ΔＣＱＩが、前記ＰＭＩと前記複数のＢＣＩの合計との間に電力を均等に割り当てることによって計算される、請求項４９に記載の基地局。
【請求項５１】
前記複数のＢＣＩに割り当てられる電力が、前記複数のＢＣＩの間に均等または不均等に割り当てられる、請求項５０に記載の基地局。
【発明の詳細な説明】
【技術分野】
【０００１】
本開示は、モバイル通信に関する。
【背景技術】
【０００２】
ＭＵ−ＭＩＭＯ（マルチユーザ多入力多出力）システムは、１つの主要なアプリケーションが閉ループ・ダウンリンク・プリコーディングである現在の通信において、ピーク・データ・レートおよびスペクトル効率を高めるための重要な手段である。そのようなアプリケーションでは、信号が、基地局に配置された複数のアンテナによってユーザ機器に送信されるとき、ユーザ機器が、基地局からユーザ機器へのダウンリンク送信チャネルを測定し、その後、チャネル状態に基づいて、基地局に対して対応するプリコーディング行列（インデックス）を提案する。この提案は、フィードバック・リンクを介して、基地局に転送される。その後、ダウンリンク送信中、基地局は、提案されたプリコーディング行列を直接的に採用して、ユーザ機器に送信される信号をプリコーディングすることが可能である。
【０００３】
ＭＵ−ＭＩＭＯ動作を促進するために、ＬＴＥ−Ａなどの４Ｇワイヤレス規格では、高度なフィードバック方式が考えられている。そのような高度なフィードバック方式の１つは、ＢＣＩ（ベスト・コンパニオンＰＭＩ（プリコーディング行列インデックス））である。
【０００４】
既成のＬＴＥ  Ｒｅｌ−８では、ＰＭＩのフィードバック方式が、ＳＵ−ＭＩＭＯ（シングルユーザ多入力多出力）システムを十分サポートすることができる。そのようなフィードバック方式によって、ＵＥ（ユーザ機器）は、ＵＥ自体に対して使用するのに最も好ましいプリコーディング行列を基地局に報告する。ＬＴＥ  Ｒｅｌ−１０など、後継のＬＴＥ規格では、ＰＭＩに加えて、ＵＥは、そのＵＥと同時に他のＵＥがスケジュールされる場合、他のＵＥに対して使用するのに最も好ましいプリコーディング行列、すなわちＢＣＩも基地局に報告する。
【０００５】
図１は、モバイルＵＥがＰＭＩおよびＢＣＩを基地局に報告するシステムを示す図である。図１に示されているＭＵ−ＭＩＭＯシステムでは、基地局１００が、基地局１００に配置されたアンテナを介して、ＵＥ１０２に信号を送信する場合、ＵＥ１０２は、基地局１００からＵＥ１０２へのダウンリンク送信チャネルを測定し、その後、チャネル状態に基づいて、基地局１００に対して対応するＰＭＩを提案する。ＵＥ１０２自体に対して使用されるＰＭＩに加えて、ＵＥ１０２は、ＵＥ１０２と同時にスケジュールされるＵＥ１０４などの他のＵＥに対して使用するのに最も好ましいＢＣＩも基地局１００に報告する。
【０００６】
図２は、ＢＣＩをＵＥから基地局に報告するためのシグナリングを示す図である。図２に示されるように、ＬＴＥ  Ｒｅｌ−８におけるＰＭＩおよびＣＱＩ（チャネル品質インジケータ）のフィードバック方式と同様に、ＢＣＩに加えて、ＵＥ１０２は、他のＵＥの同時スケジューリングが原因のＣＱＩ悪化を表すΔＣＱＩ（デルタＣＱＩ）も基地局１００に報告する。図２では、「ｔ」は、時間を表し、「Ｔ」は、シグナリングの送信サイクル（周期）を表し、一定のサイクルＴ毎に、対応するＢＣＩおよびΔＣＱＩが、ＵＥ１０２から基地局１００に送信される。
【０００７】
いくつかの実際のアプリケーションによれば、ＢＣＩおよびΔＣＱＩは、ＰＭＩおよび／またはＣＱＩをフィードバックするためのシグナリングと同じシグナリング内または異なるシグナリング内に収めて、基地局にフィードバックすることができる。
【０００８】
図３は、ＵＥがＰＭＩおよび複数のＢＣＩを基地局に報告するシステムを示す図である。図３に示されているＭＵ−ＭＩＭＯシステムでは、基地局３００は、基地局３００に配置されたアンテナを介して、複数のＵＥ３０２、３０４、３０６にそれぞれ信号を送信し、ＵＥ３０２は、基地局３００からＵＥ３０２へのダウンリンク送信チャネルを測定し、チャネル状態に基づいて、基地局３００に対して対応するＰＭＩを提案する。ＵＥ３０２自体に対して使用されるＰＭＩに加えて、ＵＥ３０２は、ＵＥ３０２と同時にスケジュールされる他の２つのＵＥ３０４、３０６に対してそれぞれ使用するのに最も好ましいＢＣＩ、すなわちＢＣＩ１およびＢＣＩ２も基地局３００に報告する。複数のＢＣＩの報告は、基地局側におけるスケジューリング柔軟性を大きく向上させ、したがって、ＭＵ−ＭＩＭＯ性能を改善することができる。
【０００９】
図４は、複数のＢＣＩをＵＥから基地局に報告するためのシグナリングを示す図である。図４に示されるように、ＵＥ３０２は、それぞれタイミングｔ１、ｔ２、ｔ３、ｔ４において、基地局３００にＢＣＩ１およびＢＣＩ２をフィードバックする。ＢＣＩ１およびＢＣＩ２に加えて、ＵＥ３０２は、対応するΔＣＱＩ１およびΔＣＱＩ２も基地局３００に報告する。しかし、複数のＢＣＩを報告すると、フィードバック・オーバヘッドが著しく増加することも、図４から見て取ることができる。図４では、一定のサイクルＴでＵＥ３０２から基地局３００に送信される対応するＢＣＩおよびΔＣＱＩの数は、図２のそれの２倍である。
【発明の概要】
【発明が解決しようとする課題】
【００１０】
本発明の目的は、チャネルのフィードバック・オーバヘッドを増加させることなく、基地局側におけるスケジューリング柔軟性を大きく向上させ、ＭＵ−ＭＩＭＯ性能を改善することである。
【課題を解決するための手段】
【００１１】
本開示の一態様によれば、基地局と、基地局と通信する端末とを含む、ＭＵ−ＭＩＭＯシステムのためのワイヤレス通信方法が提供され、方法は、複数のベスト・コンパニオン・プリコーディング行列インデックス（ＢＣＩ）および対応するデルタ・チャネル品質インジケータ（ΔＣＱＩ）を前記端末から前記基地局に送信するステップを含み、複数のＢＣＩを送信するためのフレームの周期は、単一のＢＣＩを送信するためのフレームの周期よりも大きい。
【００１２】
本開示の別の態様によれば、ＭＵ−ＭＩＭＯシステムにおいて基地局と通信するためのワイヤレス通信端末が提供され、ワイヤレス通信端末は、複数のベスト・コンパニオン・プリコーディング行列インデックス（ＢＣＩ）および対応するデルタ・チャネル品質インジケータ（ΔＣＱＩ）を前記基地局に送信するためのフレームを生成するためのフレーム生成ユニットを備え、複数のＢＣＩを送信するためのフレームの周期は、単一のＢＣＩを送信するためのフレームの周期よりも大きい。
【００１３】
本開示のさらなる一態様によれば、ＭＵ−ＭＩＭＯシステムにおいてワイヤレス通信端末と通信するための基地局が提供され、基地局は、複数のベスト・コンパニオン・プリコーディング行列インデックス（ＢＣＩ）および対応するデルタ・チャネル品質インジケータ（ΔＣＱＩ）を含むフレームをワイヤレス通信端末から受信するための受信ユニットを備え、複数のＢＣＩを搬送するためのフレームの周期は、単一のＢＣＩを搬送するためのフレームの周期よりも大きい。
【００１４】
本開示の別の態様によれば、基地局と、基地局と通信する端末とを含む、ＭＵ−ＭＩＭＯシステムのためのワイヤレス通信方法が提供され、方法は、事前定義された値になるようにベスト・コンパニオン・プリコーディング行列インデックス（ＢＣＩ）を設定するステップであって、そのような事前定義された値は、一定であっても、報告されたＰＭＩ値に関連付けて事前定義されてもよい、ステップと、前記ＢＣＩに対応するデルタ・チャネル品質インジケータ（ΔＣＱＩ）だけを所定のサイクルで前記端末から前記基地局に送信するステップとを含む。
【００１５】
本開示のさらなる一態様によれば、基地局と、基地局と通信する端末とを含む、ＭＵ−ＭＩＭＯシステムのためのワイヤレス通信方法が提供され、方法は、デルタ・チャネル品質インジケータ（ΔＣＱＩ）を所定のサイクルで前記端末から前記基地局に送信するステップと、前記ΔＣＱＩについての閾値を設定するステップと、前記ΔＣＱＩの値が前記閾値以下であることに応答して、前記ΔＣＱＩに対応するベスト・コンパニオン・プリコーディング行列インデックス（ＢＣＩ）を前記端末から前記基地局にさらに送信するステップとを含む。
【００１６】
本開示のさらなる一態様によれば、ＭＵ−ＭＩＭＯシステムにおいて基地局と通信するためのワイヤレス通信端末が提供され、ワイヤレス通信端末は、事前定義された値になるようにベスト・コンパニオン・プリコーディング行列インデックス（ＢＣＩ）を設定するための設定ユニットであって、そのような事前定義された値は、一定であっても、報告されたＰＭＩ値に関連付けて事前定義されてもよい、設定ユニットと、デルタ・チャネル品質インジケータ（ΔＣＱＩ）を前記基地局に送信するためのフレームを生成するためのフレーム生成ユニットと、前記ΔＣＱＩだけを含むフレームを所定のサイクルで前記基地局に送信するための送信ユニットとを備える。
【００１７】
本開示のさらなる一態様によれば、ＭＵ−ＭＩＭＯシステムにおいて基地局と通信するためのワイヤレス通信端末が提供され、ワイヤレス通信端末は、ベスト・コンパニオン・プリコーディング行列インデックス（ＢＣＩ）および／または対応するデルタ・チャネル品質インジケータ（ΔＣＱＩ）を前記基地局に送信するためのフレームを生成するためのフレーム生成ユニットと、前記ΔＣＱＩについての閾値を設定するための設定ユニットと、前記フレームを所定のサイクルで送信するための送信ユニットであって、前記ΔＣＱＩの値が前記閾値以下である場合は、前記フレームが前記ＢＣＩと前記ΔＣＱＩの両方を含むが、前記ΔＣＱＩの値が前記閾値よりも大きい場合は、前記フレームが前記ΔＣＱＩだけを含む、送信ユニットを備える。
【００１８】
本開示のさらなる一態様によれば、ＭＵ−ＭＩＭＯシステムにおいてワイヤレス通信端末と通信するための基地局が提供され、基地局は、事前定義された値になるようにベスト・コンパニオン・プリコーディング行列インデックス（ＢＣＩ）を設定するための設定ユニットであって、そのような事前定義された値は、一定であっても、報告されたＰＭＩ値に関連付けて事前定義されてもよい、設定ユニットと、デルタ・チャネル品質インジケータ（ΔＣＱＩ）だけを含むフレームをワイヤレス通信端末から受信するための受信ユニットとを備える。
【００１９】
本開示のさらなる一態様によれば、ＭＵ−ＭＩＭＯシステムにおいてワイヤレス通信端末と通信するための基地局が提供され、基地局は、ベスト・コンパニオン・プリコーディング行列インデックス（ＢＣＩ）および／または対応するデルタ・チャネル品質インジケータ（ΔＣＱＩ）を含むフレームをワイヤレス通信端末から受信するための受信ユニットを備え、前記ΔＣＱＩの値が設定された閾値以下である場合は、受信フレームが前記ＢＣＩと前記ΔＣＱＩの両方を含むが、前記ΔＣＱＩの値が前記閾値よりも大きい場合は、受信フレームが前記ΔＣＱＩだけを含む。
【００２０】
本開示のさらなる一態様によれば、マルチユーザ多入力多出力システムにおいて基地局と通信するためのワイヤレス通信方法が提供され、方法は、ＰＭＩと、複数のＢＣＩと、ΔＣＱＩとを基地局に送信するステップであって、ΔＣＱＩが、電力割り当てを基地局における実際のダウンリンク送信電力割り当てに近いものにすることによって計算される、ステップを含み、ＰＭＩは、モバイル端末に対して使用するのに好ましいプリコーディング行列を表し、ＢＣＩは、モバイル端末とペアにされる可能性がある他のモバイル端末に対して使用するのに好ましいベスト・コンパニオン・プリコーディング行列を表し、ΔＣＱＩは、複数のＢＣＩの使用が原因のチャネル品質悪化を表す。
【００２１】
本開示のさらなる一態様によれば、マルチユーザ多入力多出力システムにおいて基地局と通信するためのモバイル端末が提供され、モバイル端末は、ＰＭＩと、複数のＢＣＩと、ΔＣＱＩとを基地局に送信するためのフレームを生成するフレーム生成ユニットと、電力割り当てを基地局における実際のダウンリンク送信電力割り当てに近いものにすることによってΔＣＱＩを計算する計算ユニットとを備え、ＰＭＩは、モバイル端末に対して使用するのに好ましいプリコーディング行列を表し、ＢＣＩは、モバイル端末とペアにされる可能性がある他のモバイル端末に対して使用するのに好ましいベスト・コンパニオン・プリコーディング行列を表し、ΔＣＱＩは、複数のＢＣＩの使用が原因のチャネル品質悪化を表す。
【００２２】
本開示のさらなる一態様によれば、マルチユーザ多入力多出力システムにおいて複数のモバイル端末と通信するための基地局が提供され、基地局は、ＰＭＩと、複数のＢＣＩと、ΔＣＱＩとを含むフレームをモバイル端末から受信する受信ユニットであって、ΔＣＱＩが、電力割り当てを基地局における実際のダウンリンク送信電力割り当てに近いものにすることによって計算される、受信ユニットと、ＰＭＩと、複数のＢＣＩと、ΔＣＱＩとを考慮して、複数のモバイル端末に関するプリコーディング操作を実行する処理ユニットとを備え、ＰＭＩは、モバイル端末に対して使用するのに好ましいプリコーディング行列を表し、ＢＣＩは、モバイル端末とペアにされる可能性がある他のモバイル端末に対して使用するのに好ましいベスト・コンパニオン・プリコーディング行列を表し、ΔＣＱＩは、複数のＢＣＩの使用が原因のチャネル品質悪化を表す。
【００２３】
本開示におけるＢＣＩおよび対応するΔＣＱＩをフィードバックするための方法は、チャネルのフィードバック・オーバヘッドを増加させることなく、基地局側におけるスケジューリング柔軟性を大きく向上させ、ＭＵ−ＭＩＭＯ性能を改善することができる。
【００２４】
上述の説明は、要約であり、したがって、必然的に、簡略化、一般化、および細部の省略を含み、その結果、要約は例示的であるにすぎず、限定的であることを意図するものでは決してないことを当業者は理解されよう。本明細書で説明されるデバイスおよび／もしくはプロセスならびに／または他の主題についての他の態様、特徴、および利点は、本明細書で説明される教示において明らかとなろう。要約は、以下の「発明を実施するための形態」においてさらに説明される概念から一部を抜粋して簡略化された形で紹介するために提供された。この要約は、特許を請求する本発明の主要な特徴または必須の特徴を識別することを意図するものではなく、特許を請求する本発明の範囲を決定する際の助けとして使用されることを意図するものでもない。
【００２５】
本開示の上述の特徴および他の特徴は、添付の図面と併せて理解される以下の説明および添付の特許請求の範囲からより完全に明らかとなろう。これらの図面は、本開示によるいくつかの実施形態だけを示しており、したがって、本開示の範囲を限定するものであるとは見なすべきでないことを理解したうえで、添付の図面を使用して、さらに具体的かつ詳細に本開示を説明する。
【図面の簡単な説明】
【００２６】
【図１】ＵＥがＰＭＩおよびＢＣＩを基地局に報告するシステムを示す図
【図２】ＢＣＩをＵＥから基地局に報告するためのシグナリングを示す図
【図３】ＵＥがＰＭＩおよび複数のＢＣＩを基地局に報告するシステムを示す図
【図４】複数のＢＣＩをＵＥから基地局に報告するためのシグナリングを示す図
【図５】本開示の第１の実施形態による、複数のＢＣＩをＵＥから基地局に報告するためのシグナリングを示す図
【図６】本開示の第１の実施形態による、複数のＢＣＩをＵＥから基地局に報告するためのシグナリングを示す別の図
【図７】本開示の第２の実施形態による、複数のＢＣＩをＵＥから基地局に報告するためのシグナリングを示す図
【図８】本開示の第３の実施形態による、複数のＢＣＩをＵＥから基地局に報告するためのシグナリングを示す図
【図９】本開示の第４の実施形態による、複数のＢＣＩをＵＥから基地局に報告するためのシグナリングを示す図
【図１０】本開示の第５の実施形態による、ΔＣＱＩ＿Ｔの第１ビット「ｂ１」を使用することによって、最悪ＢＣＩインジケータを報告するためのフォーマットを示す図
【図１１】本開示の第６の実施形態による、ＢＣＩおよびΔＣＱＩをモバイル端末から基地局に報告するためのシグナリングを示す図
【図１２】本開示の第６の実施形態による、ＢＣＩおよびΔＣＱＩをモバイル端末から基地局に報告するためのシグナリングを示す別の図
【図１３】本開示の第７の実施形態による、ＢＣＩおよびΔＣＱＩをモバイル端末から基地局に報告するためのシグナリングを示す図
【図１４】本開示の第７の実施形態による、ＢＣＩおよびΔＣＱＩをモバイル端末から基地局に報告するためのシグナリングを示す別の図
【図１５】モバイル端末がＰＭＩおよび複数のＢＣＩを基地局に報告するシステムの別の概略図
【図１６】複数のＢＣＩおよびΔＣＱＩをモバイル端末から基地局に報告する別の図
【図１７】複数のＢＣＩおよび１つのΔＣＱＩをモバイル端末から基地局に報告する別の図
【図１８】複数のＢＣＩに対するΔＣＱＩを計算する一例を示す図
【図１９】複数のＢＣＩに対するΔＣＱＩを計算する別の例を示す図
【図２０】本開示の第８の実施形態による、ワイヤレス通信端末のブロックを示す図
【図２１】本開示の第９の実施形態による、ワイヤレス通信端末のブロックを示す図
【図２２】本開示の第１０の実施形態による、基地局のブロックを示す図
【図２３】本開示の第１１の実施形態による、基地局のブロックを示す図
【発明を実施するための形態】
【００２７】
以下の詳細な説明では、詳細な説明の一部を形成する添付の図面を参照する。別段文脈によって示されない限り、一般に、図面では、類似の符号は、類似の構成要素を識別する。詳細な説明、図面、および特許請求の範囲において説明される例示的な実施形態は、限定的であることを意図していない。本明細書で提示される本発明の主旨および範囲から逸脱することなく、他の実施形態を利用することができ、他の変更を施すことができる。本明細書で概略的に説明され、図に示された本開示の態様を、多種多様な異なる構成となるように、整理し、置き換え、組み合わせ、設計することができ、それらのすべてが、明らかに企図されており、本開示の一部をなすことが容易に理解されよう。
【００２８】
（実施形態１）
図５は、本開示の実施形態１による、複数のＢＣＩをＵＥから基地局に報告するためのシグナリングを示す図である。本開示の一実施形態によれば、基地局と、基地局と通信する複数のＵＥとを含む、ＭＵ−ＭＩＭＯシステムでは、ＵＥから基地局に複数のＢＣＩを報告する場合に、１つのＢＣＩをフィードバックする場合のフィードバック・オーバヘッドと同じフィードバック・オーバヘッドを維持するために、フィードバック・サイクルを適切に増加させることができる。すなわち、本開示によるワイヤレス通信方法は、複数のＢＣＩおよび対応するΔＣＱＩをＵＥから基地局に送信するステップを含むことができ、複数のＢＣＩを送信するためのフレームの周期（フィードバック・サイクル）は、単一のＢＣＩを送信するためのフレームの周期よりも大きい。この実施形態によれば、１つ（単一）のＢＣＩを送信（フィードバックまたは報告）するためのフレームの周期がＴであると仮定すると、複数のＢＣＩを送信するためのフレームの周期は、単一のＢＣＩを送信するためのフレームの周期Ｔの倍数とすることができる。例えば、２つのＢＣＩをＵＥから基地局に報告する場合、フィードバック・サイクルは、１つのＢＣＩを報告する場合のフィードバック・サイクルの２倍に大きくすることが、すなわち、２Ｔとすることができる。上記の倍数の特定の値は、本開示の範囲を限定するものではなく、当業者は、システムの特定の要件に従って、倍数の特定の値を実用に即して設定することができる。
【００２９】
図５に示されるように、タイミングｔ１、ｔ２、ｔ３、ｔ４などの間の周期は、サイクルＴである。報告は、以下のように周期的に実行され、すなわち、第１のＢＣＩ（ＢＣＩ１）および第１のΔＣＱＩ（ΔＣＱＩ１）をフィードバックするためのフレームが、タイミングｔ１において送信され、第２のＢＣＩ（ＢＣＩ２）および第２のΔＣＱＩ（ΔＣＱＩ２）をフィードバックするためのフレームが、タイミングｔ２において送信され、ＢＣＩ１およびΔＣＱＩ１をフィードバックするためのフレームが、タイミングｔ３において再び送信され、ＢＣＩ２およびΔＣＱＩ２をフィードバックするためのフレームが、タイミングｔ４において再び送信され、それ以降についても同様である。上記の２つの（または複数の可能性もある）ＢＣＩのうちの第１のＢＣＩを送信するためのフレームの周期は、２Ｔであり、上記の２つの（または複数の可能性もある）ＢＣＩのうちの第２のＢＣＩを送信するためのフレームの周期も、２Ｔであることを見て取ることができる。さらに、第１のΔＣＱＩは、第１のＢＣＩを送信するためのフレーム内に収めて送信することができ、第２のΔＣＱＩは、第２のＢＣＩを送信するためのフレーム内に収めて送信することができることも図５から見て取ることができる。さらに、第２のＢＣＩを送信するためのフレームと第１のＢＣＩを送信するためのフレームの間の周期は、Ｔである。その結果、フィードバック・オーバヘッドを制御して、１つのＢＣＩおよびΔＣＱＩを基地局に報告する場合と同じにするためには、ＢＣＩ１、ＢＣＩ２、ΔＣＱＩ１、およびΔＣＱＩ２を報告するための周期は、２倍になる。
【００３０】
このように、従来技術と比較して、本実施形態において複数のＢＣＩを報告するための方法は、チャネルのフィードバック・オーバヘッドを増加させることなく、基地局側におけるスケジューリング柔軟性を大きく向上させ、したがって、ＭＵ−ＭＩＭＯ性能を改善することができる。
【００３１】
図６は、本開示の実施形態１による、複数のＢＣＩをＵＥから基地局に報告するためのシグナリングを示す別の図である。本開示の別の実施形態によれば、図６に示されるように、タイミングｔ１、ｔ２、ｔ３、ｔ４などの間の周期は、サイクルＴである。報告は、以下のように周期的に実行され、すなわち、ＢＣＩ１、ΔＣＱＩ１、ＢＣＩ２、およびΔＣＱＩ２をフィードバックするためのフレームが、タイミングｔ１において送信され、上記のフレームのいずれも、タイミングｔ２においては送信されず、ＢＣＩ１、ΔＣＱＩ１、ＢＣＩ２、およびΔＣＱＩ２をフィードバックするためのフレームが、タイミングｔ３において再び送信され、上記のフレームのいずれも、タイミングｔ４においては送信されず、それ以降についても同様である。第１のΔＣＱＩ（ΔＣＱＩ１）は、第１のＢＣＩ（ＢＣＩ１）を送信するためのフレーム内に収めて送信することができ、第２のΔＣＱＩ（ΔＣＱＩ２）は、第２のＢＣＩ（ＢＣＩ２）を送信するためのフレーム内に収めて送信することができ、第２のＢＣＩを送信するためのフレームと第１のＢＣＩを送信するためのフレームの間の周期は、ゼロであることを図６から見て取ることができる。その結果、フィードバック・オーバヘッドを制御して、１つのＢＣＩおよびΔＣＱＩを基地局に報告する場合と同じにするためには、ＢＣＩ１、ＢＣＩ２、ΔＣＱＩ１、およびΔＣＱＩ２を報告するための周期は、２倍になる。
【００３２】
このように、従来技術と比較して、本実施形態において複数のＢＣＩを報告するための方法は、チャネルのフィードバック・オーバヘッドを増加させることなく、基地局側におけるスケジューリング柔軟性を大きく向上させ、したがって、ＭＵ−ＭＩＭＯ性能を改善することができる。
【００３３】
（実施形態２）
フィードバック・サイクルを増加させると、ＢＣＩが古くなる問題が発生することがあり、すなわち、次のＢＣＩが基地局によって受信されるまで、現在のＢＣＩが、チャネル状態を正確に反映できていないことがある。
【００３４】
例えば、図５に示されているケースに関して、ＢＣＩ１およびΔＣＱＩ１について言えば、ＢＣＩ１は、タイミング０とタイミングＴの間（すなわちｔ１〜ｔ２）は古くないが、タイミングＴとタイミング２Ｔの間（すなわちｔ２〜ｔ３）は古いことがある（ＢＣＩ２は、この時点では古くない）。ＢＣＩ２およびΔＣＱＩ２について言えば、ＢＣＩ２は、タイミング０とタイミングＴの間（すなわちｔ２〜ｔ３）は古くないが（ＢＣＩ１は、この時点で古いことがある）、タイミングＴとタイミング２Ｔの間（すなわちｔ３〜ｔ４）は古いことがあり（ＢＣＩ１は、この時点では古くない）、この様子が、以下の表１に示されている。
【表１】
2013541270.tif 000003
【００３５】
図６に示されているケースに関して、ＢＣＩ１、ΔＣＱＩ１、ＢＣＩ２、およびΔＣＱＩ２について言えば、ＢＣＩ１とＢＣＩ２は、タイミング０とタイミングＴの間（すなわちｔ１〜ｔ２）はどちらも古くないが、タイミングＴとタイミング２Ｔの間（すなわちｔ２〜ｔ３）はどちらも古いことがあり、この様子が、以下の表２に示されている。
【表２】
2013541270.tif 000004
【００３６】
ＵＥ３０２から基地局３００に報告されるＢＣＩ１およびＢＣＩ２が古い場合、ＢＣＩ１およびＢＣＩ２は、チャネル状態を、すなわち、ＵＥ３０２と同時にスケジュールされる他のＵＥ３０４およびＵＥ３０６に対してＵＥ３０２が使用するのに好ましいＢＣＩを正確に反映することができない。このケースでは、基地局３００が、古いＢＣＩ１およびＢＣＩ２を依然として使用して、ＵＥ３０２と同時にスケジュールされる他のＵＥ３０４およびＵＥ３０６をプリコーディングした場合、ＵＥ３０２は、悪影響を受ける。
【００３７】
上で説明したように、ΔＣＱＩの値は、ＵＥの同時スケジューリングが原因のチャネル品質の低下を表す。本開示の一実施形態によれば、ΔＣＱＩの値は、以下の表３によって表すことができる。
【表３】
2013541270.tif 000005
【００３８】
ΔＣＱＩの値は、３つのビットｂ１、ｂ２、ｂ３によって（ΔＣＱＩの値を表すためのビットの数は、本開示の範囲を限定するものではなく、ΔＣＱＩの値は、３つよりも多いまたは少ないビットによって表すことができる）、全部で０から−７までの８つの値を表すことができることを表３から見て取ることができる。最高の値０は、チャネル状態が良好であることを表すことができ、最低の値−７は、チャネル状態がきわめて悪いことを表すことができる。
【００３９】
ＵＥ３０２から基地局３００にフィードバックされるΔＣＱＩの値は、その値が一定の閾値（０から−７までの８つの値のいずれか１つとすることができ、ここでは、例えば、−４と定めることができる）未満である場合は、対応するＢＣＩが古いことを表すと仮定することができる。一定の閾値未満のΔＣＱＩを受信すると、基地局３００は、先にＵＥ３０２によってフィードバックされたΔＣＱＩに対応するＢＣＩが古くなったことを理解し、対応するＵＥ３０４および／またはＵＥ３０６をプリコーディングするために、そのＢＣＩをもはや利用しない。
【００４０】
ＢＣＩが古くなる問題を解決するために、本開示では、ΔＣＱＩは、ＢＣＩのサイクルよりも短いサイクルで基地局に報告される。例えば、ＢＣＩのためのフィードバック・サイクルは、２Ｔであり、ΔＣＱＩのためのフィードバック・サイクルは、Ｔである。
【００４１】
図７は、本開示の第２の実施形態による、複数のＢＣＩをＵＥから基地局に報告するためのシグナリングを示す図である。
【００４２】
本実施形態では、ＢＣＩが古くなる問題を解決するために、ＢＣＩのためのフィードバック・サイクルは、２Ｔに設定され、ΔＣＱＩのためのフィードバック・サイクルは、Ｔに設定される。図７に示されるように、タイミングｔ１、ｔ２、ｔ３、ｔ４の間の周期は、サイクルＴである。報告は、以下のように周期的に実行され、すなわち、ＢＣＩ１、ΔＣＱＩ１、ＢＣＩ２、およびΔＣＱＩ２をフィードバックするためのフレームが、タイミングｔ１において送信され、ΔＣＱＩ１およびΔＣＱＩ２をフィードバックするためのフレームだけが、タイミングｔ２において送信され、ＢＣＩ１、ΔＣＱＩ１、ＢＣＩ２、およびΔＣＱＩ２をフィードバックするためのフレームが、タイミングｔ３において再び送信され、ΔＣＱＩ１およびΔＣＱＩ２をフィードバックするためのフレームだけが、タイミングｔ４において再び送信され、それ以降についても同様である。すなわち、第１のΔＣＱＩ（ΔＣＱＩ１）は、第１のＢＣＩ（ＢＣＩ１）を送信するためのフレーム内に収めて送信することができ、第２のΔＣＱＩ（ΔＣＱＩ２）は、第２のＢＣＩ（ＢＣＩ２）を送信するためのフレーム内に収めて送信することができ、第１のＢＣＩを送信するための２つの隣接フレームの間（例えば周期の中間点）に、第１のΔＣＱＩおよび第２のΔＣＱＩを送信するためのフレームを追加することができる。
【００４３】
それによって、ＢＣＩ１およびＢＣＩ２を報告するためのサイクルは、２倍になるが、ΔＣＱＩ１およびΔＣＱＩ２を報告するためのサイクルは、依然としてＴのままである。このようにして、基地局３００には、各ＢＣＩが古いか、それとも古くないかに関する有効状態についての報告を、ＵＥ３０２からサイクルＴ毎に受信することを保証することが、したがって、それぞれのＵＥ３０２、３０４、３０６の効果的なプリコーディングを保証することができる。
【００４４】
図４と比較して、本実施形態は、ＢＣＩ１およびＢＣＩ２をフィードバックするためのサイクルを２倍にすることによってフィードバック・オーバヘッドを低減させ、その一方で、ΔＣＱＩ１およびΔＣＱＩ２のためのフィードバック・サイクルをＴに保って、基地局がＢＣＩの古さの状況を知ることを可能にすることによって、古いＢＣＩを使用してプリコーディングを行うことを回避でき、基地局側におけるスケジューリング柔軟性を向上させ、したがって、ＭＵ−ＭＩＭＯ性能を改善する。
【００４５】
（実施形態３）
実施形態３に基づいて、フィードバック・オーバヘッドをさらに低減させるために、本実施形態は、第１のΔＣＱＩを第２のΔＣＱＩと結合するための方法を提案する。すなわち、本明細書では最悪ΔＣＱＩと呼ばれる、第１のΔＣＱＩと第２のΔＣＱＩのうちより低い値を有するΔＣＱＩだけが、各フレームで報告される。すなわち、第１のＢＣＩを送信するためのフレームまたは第２のＢＣＩを送信するためのフレームを使用して、第１のΔＣＱＩと第２のΔＣＱＩのうちより低い値を有するΔＣＱＩだけを送信することができ、より低い値を有するΔＣＱＩを送信するためのフレームは、第１のＢＣＩを送信するためのフレームの間（例えば周期の中間点）に追加される。
【００４６】
図８は、本開示の実施形態３による、複数のＢＣＩをＵＥから基地局に報告するためのシグナリングを示す図である。図８に示されるように、例えば、タイミングｔ１およびｔ３においてフィードバックされる最悪ΔＣＱＩなど、ＢＣＩ１またはＢＣＩ２と同じフレームで報告される最悪ΔＣＱＩは、ΔＣＱＩ＿０と呼ばれ、一方、例えば、タイミングｔ２およびｔ４においてフィードバックされる最悪ΔＣＱＩなど、ＢＣＩ１またはＢＣＩ２とは異なるフレームで報告される最悪ΔＣＱＩは、ΔＣＱＩ＿Ｔと呼ばれる。
【００４７】
ｔ１からｔ３までの２Ｔのサイクルでは、タイミングｔ２におけるチャネル状態は、時間フェージングを受けることが原因で、タイミングｔ１におけるチャネル状態よりも悪く、ΔＣＱＩ＿Ｔの値がΔＣＱＩ＿０の値よりも低くなければならないことを知ることができることに留意されたい。このように、タイミングｔ２およびｔ４においてフィードバックされる最悪ΔＣＱＩの値が、一定の閾値（例えば−４）よりも高い場合、基地局３００は、ＢＣＩ１およびＢＣＩ２が両方とも古くないことを知る。他方、ΔＣＱＩ＿Ｔの値が、一定の閾値（例えば−４）以下である場合、基地局３００は、少なくとも一方のＢＣＩが古いことを知る。
【００４８】
本実施形態によれば、ΔＣＱＩ１およびΔＣＱＩ２のためのフィードバック・オーバヘッドをさらに低減させた場合、基地局側におけるスケジューリング柔軟性がさらに向上し、ＭＵ−ＭＩＭＯ性能が改善される。
【００４９】
（実施形態４）
図９は、本開示の実施形態４による、複数のＢＣＩをＵＥから基地局に報告するためのシグナリングを示す図である。
【００５０】
図８に示されているケースでは、ΔＣＱＩ＿Ｔの値が、一定の閾値（例えば−４）以下である場合、基地局３００は、少なくとも一方のＢＣＩが古いことを知る。しかし、基地局３００は、どちらのＢＣＩが古いかは分からない。したがって、基地局３００は、より正確にプリコーディングを行うために、どちらのＢＣＩが古いのかを知る必要がある。
【００５１】
図９に示されるように、本開示の一実施形態によれば、実施形態３において第１のＢＣＩを送信するためのフレームの間（例えば周期の中間点）に追加された、より低い値を有するΔＣＱＩ（すなわちΔＣＱＩ＿Ｔ）を送信するためのフレームに、古いほうのＢＣＩを示すための特定のＢＣＩインジケータが割り当てられる。すなわち、ΔＣＱＩ＿Ｔに加えて、ＵＥ３０２は、例えば、「最悪ＢＣＩインジケータ」の１ビットをさらに使用して、古いほうのＢＣＩを基地局３００にフィードバックする。したがって、基地局３００は、どちらのＢＣＩが古いかを知る。
【００５２】
本実施形態によれば、実施形態３と比較して、最悪ＢＣＩインジケータをフィードバックするための１ビットだけオーバヘッドが増加するが、ＢＣＩがより正確にフィードバックされるので、フィードバック・オーバヘッドをあまり増加させることなく、基地局側におけるスケジューリング柔軟性が大きく向上し、ＭＵ−ＭＩＭＯ性能が改善する。
【００５３】
（実施形態５）
図１０は、本開示の実施形態５による、ΔＣＱＩ＿Ｔの第１ビット「ｂ１」を使用することによって、最悪ＢＣＩインジケータを報告するためのフォーマットを示す図である。
【００５４】
表３を参照すると、ΔＣＱＩ＿０の第１ビットｂ１が０である場合、より低い値を有するΔＣＱＩ＿Ｔの第１ビット「ｂ１」は常に０であることを見て取ることができる。また、実際の適用例では、最悪ＢＣＩインジケータを報告する必要があるすべてのケースは、ほとんど、ΔＣＱＩ＿０の第１ビット「ｂ１」が０である場合（すなわち、ΔＣＱＩ＿０の値がより低い場合）に生じる。それによって、本開示では、ΔＣＱＩ＿０の第１ビット「ｂ１」が０である場合、最悪ＢＣＩインジケータを報告するために、ΔＣＱＩ＿Ｔの第１ビット「ｂ１」を使用することが提案される。すなわち、本開示によれば、上記の特定のＢＣＩインジケータ、すなわち、最悪ＢＣＩインジケータは、より低い値を有する上記ΔＣＱＩの値を表すビットの最上位ビット（ｂ１）の位置に書き込むことができる。
【００５５】
図１０に示されるように、ΔＣＱＩ＿０の第１ビット「ｂ１」が０である場合、より低い値を有するΔＣＱＩ＿Ｔの第１ビット「ｂ１」は常に０であるので、ΔＣＱＩ＿Ｔの第１ビット「ｂ１」の位置が最悪ＢＣＩインジケータで書き換えられ、それによって、古いほうのＢＣＩを基地局３００に報告する。
【００５６】
この方法は、オーバヘッドを増加させることなく、ΔＣＱＩ＿Ｔおよび最悪ＢＣＩインジケータを同時に報告することができるので、フィードバック・オーバヘッドを増加させることなく、基地局側におけるスケジューリング柔軟性を大きく向上させ、ＭＵ−ＭＩＭＯ性能を改善する。
【００５７】
（実施形態６）
図１１は、本開示の実施形態６による、ＢＣＩおよびΔＣＱＩをモバイル端末から基地局に報告するためのシグナリングを示す図である。
【００５８】
先に示したように図２では、１つのＢＣＩおよび対応するΔＣＱＩをモバイル端末から基地局に報告する状況が示されている。オーバヘッドを省くために、ＢＣＩを、基地局とモバイル端末の両方で知られている固定の値に設定することもできる場合について考察する。基地局に報告する場合、モバイル端末は、ΔＣＱＩだけを含むフレームを所定のサイクルで基地局に送信することができる。基地局は、上で設定された固定のＢＣＩと、モバイル端末から受信したΔＣＱＩとに従って、モバイル端末と同時にスケジュールされる可能性がある別のモバイル端末をプリコーディングすることができる。
【００５９】
図１１では、ただ１つのＢＣＩのためのΔＣＱＩをモバイル端末から基地局に送信する状況が示されており、ΔＣＱＩだけを含むフレームが、所定のサイクルＴでモバイル端末から基地局に送信される。さらに、ＢＣＩは固定の値に設定されるので、ＢＣＩの値は、基地局に報告しなくてよい。
【００６０】
図１２は、本開示の実施形態６による、ＢＣＩおよびΔＣＱＩをモバイル端末から基地局に報告するためのシグナリングを示す別の図である。
【００６１】
図１２では、複数のＢＣＩのためのΔＣＱＩをモバイル端末から基地局に送信する状況が示されている。具体的には、図１２は、３つのＢＣＩおよび対応するΔＣＱＩをモバイル端末から基地局に送信するケースを対象にしている。オーバヘッドを省くために、本開示の明細書で先に示したいくつかの実施形態において説明されたように、３つのＢＣＩおよび対応するΔＣＱＩのための送信サイクルは、単一のＢＣＩを送信するための送信サイクルの倍数に設定することができる。本明細書では、送信サイクルは、３Ｔに設定される。図１２に示されるように、タイミングｔ１、ｔ２、ｔ３、ｔ４の間の周期は、サイクルＴである。報告は、以下のように周期的に実行され、すなわち、ＢＣＩ１およびΔＣＱＩ１をフィードバックするためのフレームは、タイミングｔ１において送信することができ、ＢＣＩ２およびΔＣＱＩ２をフィードバックするためのフレームが、タイミングｔ２において送信され、ＢＣＩ３およびΔＣＱＩ３をフィードバックするためのフレームが、タイミングｔ３において送信され、ＢＣＩ１およびΔＣＱＩ１をフィードバックするためのフレームが、タイミングｔ４において再び送信が開始され、それ以降についても同様である。
【００６２】
しかし、本実施形態によれば、オーバヘッドをさらに省くために、それぞれ、上記のＢＣＩ１、ＢＣＩ２、ＢＣＩ３を、基地局とモバイル端末の両方で知られている固定の値に設定することもできる場合について考察する。ＢＣＩ１、ＢＣＩ２、ＢＣＩ３の値は、ＰＭＩとＢＣＩの間の事前定義されたマッピングによって指定することもできる。基地局に報告する場合、モバイル端末は、それぞれのＢＣＩに対応するΔＣＱＩだけを含むフレームを所定のサイクルで基地局に送信することができる。基地局は、上で設定されたそれぞれの固定のＢＣＩと、モバイル端末から受信した対応するΔＣＱＩとに従って、モバイル端末と同時にスケジュールされる可能性がある（本明細書では３つあると仮定された）他のモバイル端末をプリコーディングすることができる。
【００６３】
図１２では、タイミングｔ１、ｔ２、ｔ３、ｔ４において、それぞれ、ΔＣＱＩ１、ΔＣＱＩ２、ΔＣＱＩ３だけを含むフレームが、所定のサイクルＴでモバイル端末から基地局に送信される。さらに、ＢＣＩ１、ＢＣＩ２、ＢＣＩ３はそれぞれ固定の値に設定されるので、ＢＣＩ１、ＢＣＩ２、ＢＣＩ３の値は、基地局に報告しなくてよい。
【００６４】
したがって、本実施形態によるワイヤレス通信方法では、ＢＣＩは、一定（固定）の値に設定され、一定の値に設定されたＢＣＩに対応するΔＣＱＩだけが、モバイル端末から基地局に送信される。
【００６５】
また、図１２によるワイヤレス通信方法では、一定の値に設定されたＢＣＩおよび対応するΔＣＱＩの数は、（図１２に示されている３つに限定されない）複数とすることができ、上で説明された本開示のいくつかの実施形態によれば、複数のΔＣＱＩを送信するためのフレームの周期は、単一のΔＣＱＩを送信するためのフレームの周期よりも大きい。
【００６６】
このようにして、フィードバック・オーバヘッドが低減され、基地局側におけるスケジューリング柔軟性が向上し、ＭＵ−ＭＩＭＯ性能が改善する。
【００６７】
（実施形態７）
図１３は、本開示の実施形態７による、ＢＣＩおよびΔＣＱＩをモバイル端末から基地局に報告するためのシグナリングを示す図である。
【００６８】
上で図２において示したように、１つのＢＣＩおよび対応するΔＣＱＩをモバイル端末から基地局に報告する状況が示されている。オーバヘッドを省くために、ΔＣＱＩについての閾値を設定することができ、ΔＣＱＩの値が閾値よりも大きい場合は、以前送信されたＢＣＩは古くなく、依然として有効なＢＣＩであることを示している場合について考察する。その場合、モバイル端末は、ＢＣＩをさらに送信しなくてよく、基地局は、以前送信されたＢＣＩを使用して、対応するモバイル端末のためのプリコーディングを行うことができる。ΔＣＱＩの値が閾値以下である場合は、以前送信されたＢＣＩは古く、もはや有効なＢＣＩではないことを示している。その場合、モバイル端末は、新しいＢＣＩを次のサイクルのフレーム内に収めて送信する必要があり、基地局は、新たに送信されたＢＣＩを使用して、対応するモバイル端末のためのプリコーディングを行うことができる。
【００６９】
図１３では、破線が、ΔＣＱＩのために設定された閾値を示している。タイミングｔ１において、モバイル端末は、ＢＣＩおよび対応するΔＣＱＩを基地局に送信する。タイミングｔ２において、モバイル端末において、ΔＣＱＩの値が閾値と比較され、比較の結果は、ΔＣＱＩの値が閾値よりも大きいというものである。その場合、タイミングｔ１において送信されたＢＣＩは許容可能であり、更新の必要がないことを示している。したがって、モバイル端末は、ＢＣＩおよび対応するΔＣＱＩを基地局にさらに送信することはしない。タイミングｔ３において、モバイル端末において、ΔＣＱＩの値が閾値と比較され、比較の結果は、ΔＣＱＩの値が閾値よりも小さいというものである。その場合、タイミングｔ１において送信されたＢＣＩは許容不可能であり、更新の必要があることを示している。したがって、モバイル端末は、次のサイクルのタイミングｔ４において、新しいＢＣＩおよび対応するΔＣＱＩを基地局に送信する。
【００７０】
図１４は、本開示の実施形態７による、ＢＣＩおよびΔＣＱＩをモバイル端末から基地局に報告するためのシグナリングを示す別の図である。
【００７１】
図１４では、複数のＢＣＩ、具体的には２つのＢＣＩおよび対応するΔＣＱＩをモバイル端末から基地局に送信する状況が示されている。図１４では、タイミングｔ１、ｔ２、ｔ３、ｔ４の間の周期は、サイクルＴであり、タイミングｔ１において、ＢＣＩ１およびΔＣＱＩ１ばかりでなくＢＣＩ２およびΔＣＱＩ２もフィードバックするためのフレームが送信される。タイミングｔ２において、モバイル端末において、ΔＣＱＩ１およびΔＣＱＩ２の値が閾値と比較され、比較の結果は、ΔＣＱＩ１の値は閾値よりも大きく、ΔＣＱＩ２の値も閾値よりも大きいというものであり、それは、タイミングｔ１において送信されたＢＣＩ１およびＢＣＩ２は許容可能であり、更新の必要がないことを示している。したがって、モバイル端末は、ＢＣＩ１およびＢＣＩ２ならびに対応するΔＣＱＩ１およびΔＣＱＩ２を基地局にさらに送信することはしない。タイミングｔ３において、モバイル端末において、ΔＣＱＩ１およびΔＣＱＩ２の値が閾値と比較され、比較の結果は、ΔＣＱＩ１の値は閾値よりも大きく、ΔＣＱＩ２の値は閾値よりも小さいというものであり、それは、タイミングｔ１において送信されたＢＣＩ２は許容不可能であり、更新の必要があることを示している。したがって、モバイル端末は、タイミングｔ４において、新しいＢＣＩ２および対応するΔＣＱＩ２を基地局に送信する。タイミングｔ３において、ΔＣＱＩ１の値は閾値よりも大きく、したがって、更新の必要はないので、モバイル端末は、タイミングｔ４において、新しいＢＣＩ１および対応するΔＣＱＩ１を基地局にさらに送信することはしない。
【００７２】
したがって、本実施形態によるワイヤレス通信方法では、複数のΔＣＱＩが、所定のサイクルでモバイル端末から基地局に送信され、ΔＣＱＩについての閾値が、設定される。ΔＣＱＩの値が閾値以下である場合、ΔＣＱＩに加えて、ΔＣＱＩに対応するＢＣＩが、モバイル端末から基地局に送信される。
【００７３】
このようにして、フィードバック・オーバヘッドが低減され、基地局側におけるスケジューリング柔軟性が向上し、ＭＵ−ＭＩＭＯ性能が改善する。
【００７４】
（実施形態８）
この実施形態では、ΔＣＱＩをどのように計算するかが説明される。図４を参照して説明したように、複数のＢＣＩを報告した場合、スケジューリング柔軟性の大きな向上が原因で、単一のＢＣＩを報告するのと比較して、ＭＵ−ＭＩＭＯ性能をさらに改善することができる。しかし、ＢＣＩ報告周期が同じままである場合、報告オーバヘッドが増加する。
【００７５】
図１５は、モバイル端末がＰＭＩおよび複数のＢＣＩを基地局に報告するシステムの図を示しており、図１６は、複数のＢＣＩおよびΔＣＱＩをモバイル端末から基地局に報告する別の図を示している。
【００７６】
いくつかのケースでは、ΔＣＱＩのオーバヘッドが特に懸念される。例えば、報告モードＰＵＳＣＨ  ３−１（広帯域ＢＣＩ／サブバンドΔＣＱＩ）では、ＢＣＩは、広帯域情報であるが、ΔＣＱＩは、サブバンド情報である。そのようなケースでは、以下の表４に示されるように、ΔＣＱＩの数が１つから３つに増加すると、フィードバック・オーバヘッドはほぼ２倍になる。したがって、ΔＣＱＩのオーバヘッドをどのように低減させるかが、ＢＣＩ報告における重要なトピックとなる。
【表４】
2013541270.tif 000006
【００７７】
図１７は、複数のＢＣＩおよび１つのΔＣＱＩをモバイル端末から基地局に報告する別の図を示している。一般に、ΔＣＱＩオーバヘッドの低減とは、図１７に示されるように、複数のＢＣＩに対して単一のΔＣＱＩを報告することを含意する。
【００７８】
しかし、そのようなΔＣＱＩを決定するのに複数の方法が存在する。例えば、最も簡単な方法は、単純に複数のΔＣＱＩの平均を取ることである。実際には、複数のΔＣＱＩの平均を取るのに複数の方法が存在する。例えば、複数のΔＣＱＩの中央値を選択することができる。または、各ΔＣＱＩ（実際にはＣＱＩとΔＣＱＩの両方）について対応するＳＩＮＲを見出すことができ、その後、それらのＳＩＮＲの平均を取ることができ、平均ＳＩＮＲを新しいΔＣＱＩにマッピングすることができる。別の方法は、複数のΔＣＱＩのＢＬＥＲの平均を取ることであり、平均ＢＬＥＲを新しいΔＣＱＩにマッピングすることができる。しかし、ＬＴＥ／ＬＴＥ−Ａ規格では、それらの平均方法はすべて、ＲＡＮ４試験手順に合格することができない。言い換えると、基地局（ｅＮＢ）がフィードバックを採用する場合、対象とするＵＥのＢＬＥＲが１０％未満であることを保証することができない。したがって、単純に平均を取ることは、単純で合理的であるが、試験可能ではない。
【００７９】
公平な比較の場合、送信電力が複数のＵＥの間で分配されることに留意されたい。以下の表５に示されるように、ΔＣＱＩ毎に、送信電力は、関連するＢＣＩとＰＭＩの間に等しく分配される。
【表５】
2013541270.tif 000007
【００８０】
ＲＡＮ４試験に合格するために、複数のΔＣＱＩのうちの最も控えめなΔＣＱＩを報告することが可能である。表５は、ＵＥが各ＢＣＩに対して１つのΔＣＱＩを計算する場合を示している。例えば、ＵＥは、ＢＣＩ１のためにΔＣＱＩ＿１を、ＢＣＩ２のためにΔＣＱＩ＿２を、ＢＣＩ３のためにΔＣＱＩ＿３を計算する。ＵＥは、ΔＣＱＩ＿３など、最悪のチャネル悪化を示す１つのΔＣＱＩを基地局に報告し、送信電力は、ＰＭＩと報告されたΔＣＱＩの間で分配される。そのような報告は、試験可能であるが、非常に控えめであるので、時にはＭＵ性能が悪化することがある。
【００８１】
図１８は、複数のＢＣＩに対するΔＣＱＩを計算する一例を示している。試験可能な方法は、複数の空間干渉の同時存在を仮定して、ΔＣＱＩを報告することである。それは、すべての送信レイヤの間に等しい電力が割り当てられることを仮定する。例えば、３つのＢＣＩと１つのＰＭＩが存在する場合、その結果のレイヤ当たりの電力は、以下の表６および図１８に示されるように、Ｐ／４である。
【表６】
2013541270.tif 000008
【００８２】
表６に基づいたΔＣＱＩは、きわめて控えめであり、表５の状況よりもはるかに控えめである。基地局は、実際のＤＬ送信と比較される干渉電力の過大推定を補償するために、電力スケーリングを行わなければならない。そのような方法は、基地局側における電力スケーリングに依存し、ＵＥ側の処理よりもはるかに正確ではない。より重要なこととして、ＭＵ  ＣＱＩは非常に控えめなので、最低ＭＵ  ＣＱＩ値を下回ることがあり、これは、ＭＵ  ＳＩＮＲのダイナミック・レンジが負の無限大になり得ることを意味する。この場合、基地局側において電力を正確にスケール・バックすることが可能ではなくなる。
【００８３】
図１９は、複数のＢＣＩに対するΔＣＱＩを計算する別の例を示している。上述の方法を改善するために、本実施形態は、複数の空間干渉の同時存在を仮定して、ΔＣＱＩを計算することも提案する。すなわち、ＵＥは、それらのＢＣＩとともに同時に送信される複数の信号が存在することを仮定することができる。しかし、この提案では、それらの干渉には特定の電力制約が課される。すなわち、仮定される電力割り当ては、基地局側において予想される実際のＤＬ（ダウンリンク）送信電力割り当てに近いものであるべきである。さらに、基地局において予想される実際のＤＬ送信が２つのレイヤである場合、電力は、ＰＭＩと干渉（ＢＣＩ）の合計との間で等しく分配することができる。したがって、ＰＭＩ電力は、Ｐ／２であり、合計干渉（ＢＣＩ）電力は、Ｐ／２である。加えて、基地局がＢＣＩに対するいかなる選好も有さない場合、合計干渉電力をＢＣＩの間でさらに等しく分配するのが合理的である。ＢＣＩが３つの場合、各ＢＣＩに関連する電力は、Ｐ／６である。対応する電力割り当てが、図１９および表７に示されている。
【表７】
2013541270.tif 000009
【００８４】
そのような電力分配は、仕様において事前に定めておくことができる。そのような電力分配は、明示的な高位レイヤまたは動的シグナリングによって、基地局からＵＥに、または場合によってはＵＥから基地局に伝えることもできる。そのような方法は、試験可能であり、控えめでなく、基地局における電力スケーリングを必要としない。
【００８５】
さらに、ＢＣＩの間での電力分配は、均等または不均等とすることができる。例えば、基地局が特定のＢＣＩに対するいかなる選好も有さない場合、ＢＣＩの間での均等の電力分配を考えることができる。ＢＣＩが３つの場合、ＢＣＩ当たりの電力は、上で説明したようにＰ／６である。
【００８６】
しかし、基地局が、ＵＥとペアをなすのに特定のプレコーディング・ベクトルを使用するという特定の選好を有する場合、そのような選好は、高位レイヤまたは動的シグナリングによって、ＵＥに伝えることができる。ＢＣＩのために特定のプレコーディング・ベクトルが選択される場合、そのＢＣＩにより多くの電力を割り当てることが可能である。ＵＥは、基地局が、あるプレコーディング・ベクトルに対する何らかの選好を有し、あるＢＣＩにより多くの電力を割り当てることを仮定することもできるが、同様に、そのような選好またはＢＣＩの間での電力割り当ては、試験可能性を保証するために、基地局に伝えられるべきである。ＢＣＩの間での不均等な電力割り当ての例が、以下の表８に示されている。
【表８】
2013541270.tif 000010
【００８７】
表８に示されるように、基地局は、ＵＥとペアをなすのにＢＣＩ１の特定のプレコーディング・ベクトルを使用するという選好を有し、そのため、基地局は、Ｐ／４など、より多くの電力をＢＣＩ１に割り当て、Ｐ／８など、より少ない電力をＢＣＩ２およびＢＣＩ３の各々に割り当てる。
【００８８】
ＰＭＩと干渉（ＢＣＩ）電力の合計との間での電力分配は、基地局側において予想される実際の送信電力割り当てに近いものであるべきであるという仮定に基づいて、ΔＣＱＩを計算できる本実施形態を用いた場合、複数ＤＬ送信仮説を、１つの試験可能なΔＣＱＩ報告に含ませることができ、それは、ＤＬにおけるＵＥ間干渉を過大に推定せず、可能性として、基地局における追加の処理を必要としない。
【００８９】
（実施形態９）
図２０は、本開示の実施形態９による、ワイヤレス通信端末のブロックを示す図である。
【００９０】
本開示の実施形態９によるワイヤレス通信端末２０００は、ＭＵ−ＭＩＭＯシステムにおいて基地局と通信するために使用され、図２０に示されるように、ワイヤレス通信端末２０００は、基地局から送信されたプリコーディングされたデータを受信するための受信ユニット２００２と、基地局からモバイル端末２０００へのダウンリンク送信チャネルを測定し、測定されたチャネル状態に従って複数のＢＣＩおよび対応するΔＣＱＩを生成するためのＢＣＩおよびΔＣＱＩ生成ユニット２００４と、複数のＢＣＩおよび対応するΔＣＱＩを基地局に送信するためのフレームを生成するためのフレーム生成ユニット２００６であって、複数のＢＣＩを送信するためのフレームの周期が、単一のＢＣＩを送信するためのフレームの周期よりも大きい、フレーム生成ユニット２００６と、生成されたフレームを送信するための送信ユニット２００８とを含む。上述の構造では、受信ユニット２００２と、ＢＣＩおよびΔＣＱＩ生成ユニット２００４と、送信ユニット２００８の構造および機能は、本開示が注目する内容ではなく、当業者は、従来技術に従って、それらを完全に実施することができるので、それらについての詳細な説明は、ここでは省略される。
【００９１】
さらに、本開示によるワイヤレス通信端末２０００は、関連するプログラムを実行して、様々なデータを処理し、ワイヤレス通信端末２０００内のそれぞれのユニットの動作を制御するためのＣＰＵ（中央処理装置）２０１０、ＣＰＵ２０１０が様々な処理および制御を実行するために必要とする様々なプログラムを記憶するためのＲＯＭ（リードオンリメモリ）２０１３、ＣＰＵ２０１０が処理および制御の手順において一時的に生成した中間データを記憶するためのＲＡＭ（ランダムアクセスメモリ）２０１５、ならびに／または様々なコマンドおよびデータなどをユーザに送り、ユーザから受け取るためのＵＩ（ユーザインタフェース）ユニット２０１６をさらに含むことができる。上述の受信ユニット２００２、ＢＣＩおよびΔＣＱＩ生成ユニット２００４、フレーム生成ユニット２００６、送信ユニット２００８、ＣＰＵ２０１０、ＲＯＭ２０１３、ＲＡＭ２０１５、およびＵＩユニット２０１６などは、データおよび／またはコマンドバス２０２０を介して相互に接続し、互いの間で信号を転送することができる。
【００９２】
上で説明されたそれぞれのユニットは、本開示の範囲を限定しない。本開示の一実施形態によれば、上述の受信ユニット２００２、ＢＣＩおよびΔＣＱＩ生成ユニット２００４、フレーム生成ユニット２００６、ならびに送信ユニット２００８のどの１つにしても、その機能は、上述のＣＰＵ２０１０、ＲＯＭ２０１３、ＲＡＭ２０１５、およびＵＩユニット２０１６などと組み合わされた機能的ソフトウェアによって実施することもできる。
【００９３】
上述のフレーム生成ユニット２００６の処理中に、複数のＢＣＩを送信するためのフレームの周期を、単一のＢＣＩを送信するためのフレームの周期Ｔの倍数に設定することができる。
【００９４】
上述のフレーム生成ユニット２００６の処理中に、複数のＢＣＩのうちの第１のＢＣＩを送信するためのフレームの周期と、複数のＢＣＩのうちの第２のＢＣＩを送信するためのフレームの周期を、ともに２Ｔに設定することができる。
【００９５】
上述のフレーム生成ユニット２００６の処理中に、第２のＢＣＩを送信するためのフレームと第１のＢＣＩを送信するためのフレームの間の周期を、Ｔに設定することができる。
【００９６】
上述のフレーム生成ユニット２００６の処理中に、第２のＢＣＩを送信するためのフレームと第１のＢＣＩを送信するためのフレームの間の周期を、０に設定することができる。
【００９７】
上述のフレーム生成ユニット２００６の処理中に、第１のΔＣＱＩは、第１のＢＣＩを送信するためのフレーム内に収めて送信することができ、第２のΔＣＱＩは、第２のＢＣＩを送信するためのフレーム内に収めて送信することができる。
【００９８】
上述のフレーム生成ユニット２００６の処理中に、第１のΔＣＱＩは、第１のＢＣＩを送信するためのフレーム内に収めて送信することができ、第２のΔＣＱＩは、第２のＢＣＩを送信するためのフレーム内に収めて送信することができる。また、第１のΔＣＱＩと第２のΔＣＱＩを送信するためのフレームが、第１のＢＣＩを送信するためのフレームの間に追加される。
【００９９】
上述のフレーム生成ユニット２００６の処理中に、第１のＢＣＩを送信するためのフレームまたは第２のＢＣＩを送信するためのフレームは、第１のΔＣＱＩと第２のΔＣＱＩのうちより低い値を有するΔＣＱＩだけを送信するために使用することができ、より低い値を有するΔＣＱＩを送信するためのフレームは、第１のＢＣＩを送信するためのフレームの間に追加される。
【０１００】
上述のフレーム生成ユニット２００６の処理中に、古いＢＣＩを示すために、より低い値を有するΔＣＱＩを送信するための追加フレームに、特定のＢＣＩインジケータを割り当てることができる。
【０１０１】
上述のフレーム生成ユニット２００６の処理中に、特定のＢＣＩインジケータは、より低い値を有するΔＣＱＩの値を表すビットのうちの最上位ビットの位置に書き込むことができる。
【０１０２】
本実施形態のワイヤレス通信端末で複数のＢＣＩを報告する方法は、チャネルのフィードバック・オーバヘッドを増加させずに、基地局側におけるスケジューリング柔軟性を大きく向上させ、したがって、ＭＵ−ＭＩＭＯ性能を改善する。
【０１０３】
（実施形態１０）
図２１は、本開示の実施形態１０による、ワイヤレス通信端末のブロックを示す図である。
【０１０４】
本開示の実施形態１０によるワイヤレス通信端末２１００は、ＭＵ−ＭＩＭＯシステムにおいて基地局と通信するために使用され、図２１に示されるように、ワイヤレス通信端末２１００は、基地局から送信されたプリコーディングされたデータを受信するための受信ユニット２１０２と、一定の値になるようにＢＣＩを設定するための設定ユニット２１０４と、ΔＣＱＩを基地局に送信するためのフレームを生成するためのフレーム生成ユニット２１０６と、ΔＣＱＩだけを含むフレームを一定のサイクルで基地局に送信するための送信ユニット２１０８とを含む。
【０１０５】
さらに、本開示によるワイヤレス通信端末２１００は、関連するプログラムを実行して、様々なデータを処理し、ワイヤレス通信端末２１００内のそれぞれのユニットの動作を制御するためのＣＰＵ（中央処理装置）２１１０、ＣＰＵ２１１０が様々な処理および制御を実行するために必要とする様々なプログラムを記憶するためのＲＯＭ（リードオンリメモリ）２１１３、ＣＰＵ２１１０が処理および制御の手順において一時的に生成した中間データを記憶するためのＲＡＭ（ランダムアクセスメモリ）２１１５、ならびに／または様々なコマンドおよびデータなどをユーザに送り、ユーザから受け取るためのＵＩ（ユーザインタフェース）ユニット２１１６をさらに含むことができる。上述の受信ユニット２１０２、設定ユニット２１０４、フレーム生成ユニット２１０６、送信ユニット２１０８、ＣＰＵ２１１０、ＲＯＭ２１１３、ＲＡＭ２１１５、およびＵＩユニット２１１６などは、データおよび／またはコマンドバス２１２０を介して相互に接続し、互いの間で信号を転送することができる。
【０１０６】
上で説明されたそれぞれのユニットは、本開示の範囲を限定しない。本開示の一実施形態によれば、上述の受信ユニット２１０２、設定ユニット２１０４、フレーム生成ユニット２１０６、ならびに送信ユニット２１０８のどの１つにしても、その機能は、上述のＣＰＵ２１１０、ＲＯＭ２１１３、ＲＡＭ２１１５、およびＵＩユニット２１１６などと組み合わされた機能的ソフトウェアによって実施することもできる。
【０１０７】
本開示の実施形態１０によるワイヤレス通信端末２１００におけるそれぞれのユニットは、以下のようにさらに構成することができ、すなわち、フレーム生成ユニット２１０６は、ＢＣＩおよび／または対応するΔＣＱＩを基地局に送信するためのフレームを生成し、設定ユニット２１０４は、ΔＣＱＩについての閾値を設定し、送信ユニット２１０８は、フレームを所定のサイクルで送信し、ΔＣＱＩの値が閾値以下である場合は、フレームは、ＢＣＩおよび対応するΔＣＱＩの両方を含むが、ΔＣＱＩの値が閾値よりも大きい場合は、フレームは、ΔＣＱＩだけを含む。上述のＢＣＩおよび対応するΔＣＱＩは、複数のＢＣＩおよび対応するΔＣＱＩとすることができる。
【０１０８】
本開示の別の実施形態によれば、マルチユーザ多入力多出力システムにおいて基地局と通信するための上述のモバイル（ワイヤレス通信）端末２０００または２１００は、ＰＭＩと、複数のＢＣＩと、ΔＣＱＩとを基地局に送信するためのフレームを生成するフレーム生成ユニットと、電力割り当てを基地局における実際のダウンリンク送信電力割り当てに近いものにすることによってΔＣＱＩを計算する計算ユニットとを備えるように実現することもでき、ＰＭＩは、モバイル端末に対して使用するのに好ましいプリコーディング行列を表し、ＢＣＩは、モバイル端末とペアにされる可能性がある他のモバイル端末に対して使用するのに好ましいベスト・コンパニオン・プリコーディング行列を表し、ΔＣＱＩは、複数のＢＣＩの使用が原因のチャネル品質悪化を表す。上述のモバイル端末では、ΔＣＱＩは、ＰＭＩと複数のＢＣＩの合計との間に電力を均等に割り当てることによって計算することができる。さらに、複数のＢＣＩに割り当てられる電力は、複数のＢＣＩの間に均等または不均等に割り当てることができる。
【０１０９】
本実施形態のワイヤレス通信端末で複数のＢＣＩを報告する方法は、チャネルのフィードバック・オーバヘッドを増加させずに、基地局側におけるスケジューリング柔軟性を大きく向上させ、したがって、ＭＵ−ＭＩＭＯ性能を改善する。
【０１１０】
（第１１の実施形態）
図２２は、本開示の実施形態１１による、基地局のブロックを示す図である。
【０１１１】
本開示の実施形態１１による基地局２２００は、ＭＵ−ＭＩＭＯシステムにおいてワイヤレス通信端末と通信するために使用され、図２２に示されるように、基地局２２００は、複数のＢＣＩおよび対応するΔＣＱＩを含むフレームばかりでなく、ワイヤレス通信端末から送信される様々なデータ・フレームも受信するための受信ユニット２２０２であって、複数のＢＣＩを含むフレームの周期が、単一のＢＣＩのためのフレームの周期よりも大きい、受信ユニット２２０２と、受信した複数のＢＣＩおよびΔＣＱＩに従って、対応するワイヤレス通信端末に送信されるデータをプリコーディングするための処理ユニット２２０４と、プリコーディングされたデータをワイヤレス通信端末に送信するための送信ユニット２２０６とを含む。
【０１１２】
本開示による基地局２２００は、関連するプログラムを実行して、様々なデータを処理し、基地局２２００内のそれぞれのユニットの動作を制御するためのＣＰＵ（中央処理装置）２２１０、ＣＰＵ２２１０が様々な処理および制御を実行するために必要とする様々なプログラムを記憶するためのＲＯＭ（リードオンリメモリ）２２１３、ＣＰＵ２２１０が処理および制御の手順において一時的に生成した中間データを記憶するためのＲＡＭ（ランダムアクセスメモリ）２２１５、ならびに／または様々なコマンドおよびデータなどをユーザに送り、ユーザから受け取るためのＵＩ（ユーザインタフェース）ユニット２２１６をさらに含むことができる。上述の受信ユニット２２０２、処理ユニット２２０４、送信ユニット２２０６、ＣＰＵ２２１０、ＲＯＭ２２１３、ＲＡＭ２２１５、および／またはＵＩユニット２２１６などは、データおよび／またはコマンドバス２２２０を介して相互に接続し、互いの間で信号を転送することができる。
【０１１３】
上で説明されたそれぞれのユニットは、本開示の範囲を限定しない。本開示の一実施形態によれば、上述の受信ユニット２２０２、処理ユニット２２０４、および送信ユニット２２０６のどの１つにしても、その機能は、上述のＣＰＵ２２１０、ＲＯＭ２２１３、ＲＡＭ２２１５、および／またはＵＩユニット２２１６などと組み合わされた機能的ソフトウェアによって実施することもできる。
【０１１４】
ワイヤレス通信端末から送信された複数のＢＣＩおよび対応するΔＣＱＩを含む受信フレームにおいて、複数のＢＣＩを搬送するためのフレームの周期を、単一のＢＣＩを搬送するためのフレームの周期Ｔの倍数に設定することができる。
【０１１５】
ワイヤレス通信端末から送信された複数のＢＣＩおよび対応するΔＣＱＩを含む受信フレームにおいて、複数のＢＣＩのうちの第１のＢＣＩを搬送するためのフレームの周期と、複数のＢＣＩのうちの第２のＢＣＩを搬送するためのフレームの周期を、ともに２Ｔに設定することができる。
【０１１６】
ワイヤレス通信端末から送信された複数のＢＣＩおよび対応するΔＣＱＩを含む受信フレームにおいて、第２のＢＣＩを搬送するためのフレームと第１のＢＣＩを搬送するためのフレームの間の周期を、Ｔに設定することができる。
【０１１７】
ワイヤレス通信端末から送信された複数のＢＣＩおよび対応するΔＣＱＩを含む受信フレームにおいて、第２のＢＣＩを搬送するためのフレームと第１のＢＣＩを搬送するためのフレームの間の周期を、０に設定することができる。
【０１１８】
ワイヤレス通信端末から送信された複数のＢＣＩおよび対応するΔＣＱＩを含む受信フレームにおいて、第１のΔＣＱＩは、第１のＢＣＩを搬送するためのフレーム内に収めて搬送することができ、第２のΔＣＱＩは、第２のＢＣＩを搬送するためのフレーム内に収めて搬送することができる。
【０１１９】
ワイヤレス通信端末から送信された複数のＢＣＩおよび対応するΔＣＱＩを含む受信フレームにおいて、第１のΔＣＱＩは、第１のＢＣＩを搬送するためのフレーム内に収めて搬送することができ、第２のΔＣＱＩは、第２のＢＣＩを搬送するためのフレーム内に収めて搬送することができ、第１のΔＣＱＩと第２のΔＣＱＩを搬送するためのフレームは、第１のＢＣＩを搬送するためのフレームの間に追加することができる。
【０１２０】
ワイヤレス通信端末から送信された複数のＢＣＩおよび対応するΔＣＱＩを含む受信フレームにおいて、第１のＢＣＩを搬送するためのフレームまたは第２のＢＣＩを搬送するためのフレームは、第１のΔＣＱＩと第２のΔＣＱＩのうちより低い値を有するΔＣＱＩだけを搬送するために使用することができ、より低い値を有するΔＣＱＩを搬送するためのフレームは、第１のＢＣＩを搬送するためのフレームの間に追加することができる。
【０１２１】
ワイヤレス通信端末から送信された複数のＢＣＩおよび対応するΔＣＱＩを含む受信フレームにおいて、古いＢＣＩを示すために、より低い値を有するΔＣＱＩを搬送するための追加フレームに、特定のＢＣＩインジケータを割り当てることができる。
【０１２２】
ワイヤレス通信端末から送信された複数のＢＣＩおよび対応するΔＣＱＩを含む受信フレームにおいて、特定のＢＣＩインジケータは、より低い値を有するΔＣＱＩの値を表すビットのうちの最上位ビットの位置に書き込むことができる。
【０１２３】
本実施形態の基地局で複数のＢＣＩを報告するためのフレームを受信する方法は、チャネルのフィードバック・オーバヘッドを増加させずに、基地局側におけるスケジューリング柔軟性を大きく向上させ、したがって、ＭＵ−ＭＩＭＯ性能を改善する。
【０１２４】
（実施形態１２）
図２３は、本開示の実施形態１２による、基地局のブロックを示す図である。
【０１２５】
本開示の実施形態１２による基地局２３００は、ＭＵ−ＭＩＭＯシステムにおいてワイヤレス通信端末と通信するために使用され、図２３に示されるように、基地局２３００は、一定の値になるようにＢＣＩを設定するための設定ユニット２３０４と、ワイヤレス通信端末からΔＣＱＩだけを含むフレームを受信するための受信ユニット２３０２と、プリコーディングされたデータをワイヤレス通信端末に送信するための送信ユニット２３０６とを含む。
【０１２６】
本開示による基地局２３００は、関連するプログラムを実行して、様々なデータを処理し、基地局２３００内のそれぞれのユニットの動作を制御するためのＣＰＵ（中央処理装置）２３１０、ＣＰＵ２３１０が様々な処理および制御を実行するために必要とする様々なプログラムを記憶するためのＲＯＭ（リードオンリメモリ）２３１３、ＣＰＵ２３１０が処理および制御の手順において一時的に生成した中間データを記憶するためのＲＡＭ（ランダムアクセスメモリ）２３１５、ならびに／または様々なコマンドおよびデータなどをユーザに送り、ユーザから受け取るためのＵＩ（ユーザインタフェース）ユニット２３１６をさらに含むことができる。上述の受信ユニット２３０２、設定ユニット２３０４、送信ユニット２３０６、ＣＰＵ２３１０、ＲＯＭ２３１３、ＲＡＭ２３１５、および／またはＵＩユニット２３１６などは、データおよび／またはコマンドバス２３２０を介して相互に接続し、互いの間で信号を転送することができる。
【０１２７】
上で説明されたそれぞれのユニットは、本開示の範囲を限定しない。本開示の一実施形態によれば、上述の受信ユニット２３０２、設定ユニット２３０４、および送信ユニット２３０６のどの１つにしても、その機能は、上述のＣＰＵ２３１０、ＲＯＭ２３１３、ＲＡＭ２３１５、および／またはＵＩユニット２３１６などと組み合わされた機能的ソフトウェアによって実施することもできる。
【０１２８】
本実施形態による上述の基地局では、各フレームは、複数のΔＣＱＩを含むことができ、複数のΔＣＱＩを搬送するためのフレームの周期は、単一のΔＣＱＩを搬送するためのフレームの周期よりも大きい。
【０１２９】
本開示の実施形態１２による基地局２３００におけるそれぞれのユニットは、以下のようにさらに構成することができ、すなわち、受信ユニット２３０２は、ＢＣＩおよび／または対応するΔＣＱＩを含むフレームをワイヤレス通信端末から受信し、ΔＣＱＩの値が設定された閾値以下である場合は、受信フレームは、ＢＣＩおよび対応するΔＣＱＩの両方を含むが、ΔＣＱＩの値が閾値よりも大きい場合は、受信フレームは、ΔＣＱＩだけを含む。上述の基地局２３００では、各フレーム内のＢＣＩおよびΔＣＱＩの数は、複数とすることができる。
【０１３０】
本開示の別の実施形態によれば、マルチユーザ多入力多出力システムにおいて複数のモバイル端末と通信するための上述の基地局は、ＰＭＩと、複数のＢＣＩと、ΔＣＱＩとを含むフレームをモバイル端末から受信する受信ユニットであって、ΔＣＱＩが、電力割り当てを基地局における実際のダウンリンク送信電力割り当てに近いものにすることによって計算される、受信ユニットと、ＰＭＩと、複数のＢＣＩと、ΔＣＱＩとを考慮して、複数のモバイル端末に関するプリコーディング操作を実行する処理ユニットとを備えるように実現することができ、ＰＭＩは、モバイル端末に対して使用するのに好ましいプリコーディング行列を表し、ＢＣＩは、モバイル端末とペアにされる可能性がある他のモバイル端末に対して使用するのに好ましいベスト・コンパニオン・プリコーディング行列を表し、ΔＣＱＩは、複数のＢＣＩの使用が原因のチャネル品質悪化を表す。上述の基地局では、ΔＣＱＩは、ＰＭＩと複数のＢＣＩの合計との間に電力を均等に割り当てることによって計算することができる。さらに、複数のＢＣＩに割り当てられる電力は、複数のＢＣＩの間に均等または不均等に割り当てることができる。
【０１３１】
本実施形態の基地局でＢＣＩを報告する方法は、チャネルのフィードバック・オーバヘッドを増加させずに、基地局側におけるスケジューリング柔軟性を大きく向上させ、したがって、ＭＵ−ＭＩＭＯ性能を改善する。
【０１３２】
上述のそれぞれ実施形態では、ＢＣＩおよび対応するΔＣＱＩを時間領域において送信するケースに関して説明が行われたが、本開示は、ＢＣＩおよび対応するΔＣＱＩを時間領域において送信する場合に限定されず、加えて、ＢＣＩおよび対応するΔＣＱＩを周波数領域において送信するケースにも適用できることに留意されたい。例えば、１つまたは複数のＢＣＩおよび対応するΔＣＱＩを、周波数領域において異なるキャリア上で送信することができる。上述の本開示のそれぞれの実施形態によれば、周波数領域において異なるキャリア上で送信される１つまたは複数のＢＣＩおよび対応するΔＣＱＩに対して、時間領域におけるのと同じ処理を行うことができる。
【０１３３】
さらに、上述のそれぞれの実施形態で説明したように、ＢＣＩおよび対応するΔＣＱＩの数は、２つまたは３つに限定しなくてよく、複数とすることができ、送信の特定の数は、通信システムの特定の要件に従って、具体的に設定することができる。
【０１３４】
上述の本出願のそれぞれの実施形態は、例示的な説明のためのものにすぎず、それらの特定の構造および動作は、本開示の範囲を限定しない。当業者であれば、上で説明されたそれぞれの実施形態の様々な部分および動作を組み換えて、やはり本開示に適合する新しい実施形態を作成することができる。
【０１３５】
本開示の実施形態は、ハードウェア、ソフトウェア、およびファームウェアによって、またはそれらの組み合わせで実施することができ、実施の方法は、本開示の範囲を限定しない。
【０１３６】
本開示のそれぞれの実施形態におけるそれぞれの機能要素（ユニット）間の接続関係は、本開示の範囲を限定せず、１つまたは複数の機能要素は、他の任意の機能要素を含むことができ、または他の任意の機能要素に接続することができる。
【０１３７】
上述の詳細な説明では、ブロック図、フローチャート、および／または例の使用によって、デバイスおよび／またはプロセスの様々な実施形態について説明した。そのようなブロック図、フローチャート、および／または例が、１つまたは複数の機能および／または動作を含む場合、そのようなブロック図、フローチャート、または例の中の各機能および／または動作が、広範なハードウェア、ソフトウェア、ファームウェア、または仮想的にそれらの任意の組み合わせによって、個別および／または集団で実施できることは当業者であれば理解されよう。一実施形態では、本明細書で説明される本発明のいくつかの部分は、特定用途向け集積回路（ＡＳＩＣ）、フィールドプログラマブルゲートアレイ（ＦＰＧＡ）、デジタル信号プロセッサ（ＤＳＰ）、または他の集積された形態によって実施することができる。しかし、本明細書で開示される実施形態のいくつかの態様は、全体的または部分的に、集積回路で、１つもしくは複数のコンピュータ上で動作する１つもしくは複数のコンピュータ・プログラムとして（例えば、１つもしくは複数のコンピュータ・システム上で動作する１つもしくは複数のプログラムとして）、１つもしくは複数のプロセッサ上で動作する１つもしくは複数のプログラムとして（例えば、１つもしくは複数のマイクロプロセッサ上で動作する１つもしくは複数のプログラムとして）、ファームウェアとして、または仮想的にそれらの任意の組み合わせとして、等価的に実施でき、そのような回路の設計、ならびに／またはソフトウェアおよび／もしくはファームウェアのためのコードの記述は、本開示を踏まえて、当業者の技能の範囲内で十分可能であることは当業者であれば理解されよう。加えて、本明細書で説明された本発明のメカニズムは、様々な形式でプログラム製品として配布することが可能であり、また本明細書で説明された本発明の例示的な実施形態は、実際に配布を実施するために使用される特定のタイプの信号搬送媒体に係わらず適用されることは当業者であれば理解されよう。信号搬送媒体の例は、フロッピ・ディスク、ハード・ディスク・ドライブ、コンパクト・ディスク（ＣＤ）、デジタル・ビデオ・ディスク（ＤＶＤ）、デジタル・テープ、コンピュータ・メモリなどの、記録可能タイプ媒体と、デジタルおよび／またはアナログ通信媒体など（例えば、光ファイバ・ケーブル、導波管、有線通信リンク、無線通信リンクなど）の、伝送タイプ媒体を含むが、それらに限定されない。
【０１３８】
実質的にどの複数形の用語および／または単数形の用語の使用に関しても、当業者であれば、状況および／または用途に適するように、複数から単数および／または単数から複数に変換することができる。本明細書では、明瞭となるように、様々な単数／複数間の置き換えを明示的に説明することもできる。
【０１３９】
一般に、本明細書、特に添付の特許請求の範囲（例えば、添付の特許請求の範囲の本文）において使用される用語は、一般に、「オープン」タームであることが意図されていること（例えば、「含む（ｉｎｃｌｕｄｉｎｇ）」という語は、「含むが、それらに限定されない」と解釈すべきであり、「有する（ｈａｖｉｎｇ）」という語は、「少なくとも〜を有する」と解釈すべきであり、「含む（ｉｎｃｌｕｄｅｓ）」という語は、「含むが、それらに限定されない」と解釈すべきであるなど）を当業者であれば理解されよう。導入されるクレーム記載物（ｃｌａｉｍ  ｒｅｃｉｔａｔｉｏｎ）について特定の数が意図される場合、そのような意図は、請求項において明示的に記載され、そのような記載がない場合は、そのような意図も存在しないことを当業者であればさらに理解されよう例えば、理解の助けとして、以下の添付の特許請求の範囲では、クレーム記載物を導入するために、「少なくとも１つの」および「１つまたは複数の」という導入句の使用を含むことがある。しかし、そのような語句の使用は、同じ請求項が、「少なくとも１つの」および「１つまたは複数の」という導入句と、「ａ」または「ａｎ」などの不定冠詞を含む場合であっても、不定冠詞「ａ」または「ａｎ」によるクレーム記載物の導入が、そのように導入されたクレーム記載物を含む特定の請求項を、ただ１つのそのような記載物を含む開示に限定することを含意すると解釈すべきではなく（例えば、「ａ」および／または「ａｎ」は、一般に、「少なくとも１つの」または「１つまたは複数の」を意味すると解釈すべきであり）、クレーム記載物を導入するために使用される定冠詞の使用についても同じことが当てはまる。加えて、導入されるクレーム記載物について特定の数が明示的に記載される場合であっても、そのような記載は、一般に、少なくとも記載された数は存在することを意味すると解釈すべきである（例えば、他の修飾句を伴わない「２つの記載物」という最小限の記載は、一般に、少なくとも２つの記載物、または２つ以上の記載物を意味する）ことを当業者であれば理解されよう。「Ａ、Ｂ、またはＣなどのうちの少なくとも１つ」に類似した慣用表現が使用される場合、一般に、そのような構造は、当業者がその慣用表現を理解する意味において意図されている（例えば、「Ａ、Ｂ、またはＣのうちの少なくとも１つを有するシステム」は、Ａだけ、Ｂだけ、Ｃだけ、ＡとＢをともに、ＡとＣをともに、ＢとＣをともに、および／またはＡとＢとＣをともに有するシステムを含むが、それらに限定されない）。２つ以上の代替用語を提示する実質的にすべての離接語および／または離接句は、説明内か、特許請求の範囲内か、それとも図面内かに係わらず、用語の一方、用語のいずれか、または両方の用語を含む可能性を企図していると理解すべきであることを当業者であればさらに理解されよう。例えば、「ＡまたはＢ」という句は、「Ａ」または「Ｂ」または「ＡとＢ」の可能性を含むと理解される。
【０１４０】
本開示のいくつかの実施形態は、上述の添付の図面と組み合わせて示され、説明されたが、本開示の請求項およびそれらの均等物の範囲内に包含される様々な変形および変更を、本開示の主旨および原理から逸脱することなく、これらの実施形態に施すことができることを当業者であれば理解されたい。
【図１】
2013541270.tif 000011
【図２】
2013541270.tif 000012
【図３】
2013541270.tif 000013
【図４】
2013541270.tif 000014
【図５】
2013541270.tif 000015
【図６】
2013541270.tif 000016
【図７】
2013541270.tif 000017
【図８】
2013541270.tif 000018
【図９】
2013541270.tif 000019
【図１０】
2013541270.tif 000020
【図１１】
2013541270.tif 000021
【図１２】
2013541270.tif 000022
【図１３】
2013541270.tif 000023
【図１４】
2013541270.tif 000024
【図１５】
2013541270.tif 000025
【図１６】
2013541270.tif 000026
【図１７】
2013541270.tif 000027
【図１８】
2013541270.tif 000028
【図１９】
2013541270.tif 000029
【図２０】
2013541270.tif 000030
【図２１】
2013541270.tif 000031
【図２２】
2013541270.tif 000032
【図２３】
2013541270.tif 000033
【国際調査報告】
2013541270.tif 000034
2013541270.tif 000035